(57)【要約】  セル管理方法、トリガー条件設定方法、端末機器及びネットワーク側機器を提供する。該方法において、トリガー条件の設定情報とトリガー事象の設定情報とをネットワーク側機器から受信することと、ここで、前記トリガー条件の設定情報と前記トリガー事象の設定情報との間に関連関係があり、且つ、１つのトリガー条件の設定情報に少なくとも２つのトリガー事象の設定情報が関連付けられ、トリガー条件の設定情報に関連付けられる少なくとも２つのトリガー事象の設定情報に基づいて、トリガー条件が満たされているか否かを判断することと、トリガー条件が満たされた場合、セル管理のための無線リソース制御ＲＲＣプロセスを開始することとを含む。【選択図】図３
2021525492.tif 000002
【特許請求の範囲】
【請求項１】
端末機器に応用されるセル管理方法であって、
トリガー条件の設定情報とトリガー事象の設定情報とをネットワーク側機器から受信することと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
前記トリガー条件の設定情報に関連付けられる少なくとも２つのトリガー事象の設定情報に基づいて、前記トリガー条件が満たされているか否かを判断することと、
前記トリガー条件が満たされた場合、セル管理のための無線リソース制御ＲＲＣプロセスを開始することと、
を含む、セル管理方法。
【請求項２】
前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む、請求項１に記載のセル管理方法。
【請求項３】
前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象情報リストの表項目ラベルとの関連関係、又は、
前記トリガー条件情報リストの表項目ラベルと、トリガー事象の設定情報に対応する識別情報との関連関係、又は、
前記トリガー条件情報リストの表項目ラベルと、前記トリガー事象情報リストの表項目ラベルとの関連関係を含む、請求項２に記載のセル管理方法。
【請求項４】
前記トリガー事象の設定情報は、トリガー事象のタイプ、トリガー事象の測定パラメータ、トリガー事象の閾値、トリガータイプ及びトリガー期間のうちの少なくとも１つを含む、請求項１に記載のセル管理方法。
【請求項５】
前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含む、請求項４に記載のセル管理方法。
【請求項６】
前記トリガー条件の設定情報は、トリガー条件の有効期間を含む、請求項１に記載のセル管理方法。
【請求項７】
前記の前記トリガー条件の設定情報に関連付けられる少なくとも２つのトリガー事象の設定情報に基づいて、前記トリガー条件が満たされているか否かを判断することは、
前記トリガー条件の設定情報に関連付けられる少なくとも２つのトリガー事象の設定情報のいずれかのトリガー事象の設定情報が満たされた場合、前記トリガー条件が満たされたと決定すること、又は、
前記トリガー条件の設定情報に関連付けられる少なくとも２つのトリガー事象の設定情報のうちのＮ（Ｎは１より大きい整数）個のトリガー事象の設定情報が満たされた場合、前記トリガー条件が満たされたと決定すること、又は、
前記トリガー条件の設定情報に関連付けられる少なくとも２つのトリガー事象の設定情報のうちのすべてのトリガー事象の設定情報が満たされた場合、前記トリガー条件が満たされたと決定することを含む、請求項１〜６のいずれか１項に記載のセル管理方法。
【請求項８】
前記のトリガー条件の設定情報とトリガー事象の設定情報とをネットワーク側機器から受信することは、
ソースノードから送信されたトリガー条件の設定情報とトリガー事象の設定情報とを受信すること、又は、
目標ノードからソースノードを介して送信されたトリガー条件の設定情報とトリガー事象の設定情報とを受信することを含む、請求項１〜６のいずれか１項に記載のセル管理方法。
【請求項９】
ソースノード又は目標ノードに応用されるトリガー条件設定方法であって、
トリガー条件の設定情報とトリガー事象の設定情報とを取得することと、
前記トリガー条件の設定情報とトリガー事象の設定情報とを端末機器に送信することと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
を含む、トリガー条件設定方法。
【請求項１０】
前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む、請求項９に記載のトリガー条件設定方法。
【請求項１１】
前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象の設定情報リストの表項目ラベルとの関連関係、又は、
前記トリガー条件の設定情報リストの表項目ラベルと、トリガー事象の設定情報に対応する識別情報との関連関係、又は、
前記トリガー条件の設定情報リストの表項目ラベルと、前記トリガー事象の設定情報リストの表項目ラベルとの関連関係を含む、請求項１０に記載のトリガー条件設定方法。
【請求項１２】
前記トリガー事象の設定情報は、トリガー事象のタイプ、トリガー事象の測定パラメータ、トリガー事象の閾値、トリガータイプ及びトリガー期間のうちの少なくとも１つを含む、請求項９に記載のトリガー条件設定方法。
【請求項１３】
前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含む、請求項１２に記載のトリガー条件設定方法。
【請求項１４】
前記トリガー条件の設定情報は、トリガー条件の有効期間を含む、請求項９に記載のトリガー条件設定方法。
【請求項１５】
前記トリガー条件設定方法がソースノードに応用される場合、前記の前記トリガー条件の設定情報とトリガー事象の設定情報とを端末機器に送信することは、
目標ノードから送信された目標セルの設定情報を受信した場合、前記トリガー条件の設定情報とトリガー事象の設定情報とを端末機器に送信すること、又は、
目標ノードから送信された前記トリガー条件の設定情報とトリガー事象の設定情報とを受信した場合、前記トリガー条件の設定情報とトリガー事象の設定情報とを端末機器に送信することを含む、請求項９に記載のトリガー条件設定方法。
【請求項１６】
前記トリガー条件設定方法が目標ノードに応用される場合、前記の前記トリガー条件の設定情報とトリガー事象の設定情報とを端末機器に送信することは、
条件トリガーに基づくセル管理の要求情報をソースノードから受信した場合、前記トリガー条件の設定情報とトリガー事象の設定情報とを、ソースノードを介して端末機器に送信することを含む、請求項９に記載のトリガー条件設定方法。
【請求項１７】
前記トリガー条件の設定情報と前記トリガー事象の設定情報は、目標ノードとソースノードとのネゴシエーションによって決定される、請求項９に記載のトリガー条件設定方法。
【請求項１８】
トリガー条件の設定情報とトリガー事象の設定情報とをネットワーク側機器から受信する受信モジュールと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
前記トリガー条件の設定情報に関連付けられる少なくとも２つのトリガー事象の設定情報に基づいて、前記トリガー条件が満たされているか否かを判断する判断モジュールと、
前記トリガー条件が満たされた場合、セル管理のための無線リソース制御ＲＲＣプロセスを開始する開始モジュールと、
を含む、端末機器。
【請求項１９】
前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む、請求項１８に記載の端末機器。
【請求項２０】
前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象情報リストの表項目ラベルとの関連関係、又は、
前記トリガー条件情報リストの表項目ラベルと、トリガー事象の設定情報に対応する識別情報との関連関係、又は、
前記トリガー条件情報リストの表項目ラベルと、前記トリガー事象情報リストの表項目ラベルとの関連関係を含む、請求項１９に記載の端末機器。
【請求項２１】
前記トリガー事象の設定情報は、トリガー事象のタイプ、トリガー事象の測定パラメータ、トリガー事象の閾値、トリガータイプ及びトリガー期間のうちの少なくとも１つを含む、請求項１８に記載の端末機器。
【請求項２２】
前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含む、請求項２１に記載の端末機器。
【請求項２３】
前記トリガー条件の設定情報は、トリガー条件の有効期間を含む、請求項１８に記載の端末機器。
【請求項２４】
前記判断モジュールは、具体的には、
前記トリガー条件の設定情報に関連付けられる少なくとも２つのトリガー事象の設定情報のいずれかのトリガー事象の設定情報が満たされた場合、前記トリガー条件が満たされたと決定すること、又は、
前記トリガー条件の設定情報に関連付けられる少なくとも２つのトリガー事象の設定情報のうちのＮ（Ｎは１より大きい整数）個のトリガー事象の設定情報が満たされた場合、前記トリガー条件が満たされたと決定すること、又は、
前記トリガー条件の設定情報に関連付けられる少なくとも２つのトリガー事象の設定情報のうちのすべてのトリガー事象の設定情報が満たされた場合、前記トリガー条件が満たされたと決定することに用いられる、請求項１８〜２３のいずれか１項に記載の端末機器。
【請求項２５】
前記受信モジュールは、具体的には、
ソースノードから送信されたトリガー条件の設定情報とトリガー事象の設定情報とを受信すること、又は、
目標ノードからソースノードを介して送信されたトリガー条件の設定情報とトリガー事象の設定情報とを受信することに用いられる、請求項１８〜２３のいずれか１項に記載の端末機器。
【請求項２６】
ソースノード又は目標ノードであるネットワーク側機器において、
トリガー条件の設定情報とトリガー事象の設定情報とを取得する取得モジュールと、
前記トリガー条件の設定情報とトリガー事象の設定情報とを端末機器に送信する送信モジュールと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
を含む、ネットワーク側機器。
【請求項２７】
前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む、請求項２６に記載のネットワーク側機器。
【請求項２８】
前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象の設定情報リストの表項目ラベルとの関連関係、又は、
前記トリガー条件の設定情報リストの表項目ラベルと、トリガー事象の設定情報に対応する識別情報との関連関係、又は、
前記トリガー条件の設定情報リストの表項目ラベルと、前記トリガー事象の設定情報リストの表項目ラベルとの関連関係を含む、請求項２７に記載のネットワーク側機器。
【請求項２９】
前記トリガー事象の設定情報は、トリガー事象のタイプ、トリガー事象の測定パラメータ、トリガー事象の閾値、トリガータイプ及びトリガー期間のうちの少なくとも１つを含む、請求項２６に記載のネットワーク側機器。
【請求項３０】
前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含む、請求項２９に記載のネットワーク側機器。
【請求項３１】
前記トリガー条件の設定情報は、トリガー条件の有効期間を含む、請求項２６に記載のネットワーク側機器。
【請求項３２】
前記ネットワーク側機器がソースノードである場合、前記送信モジュールは、具体的には、
目標ノードから送信された目標セルの設定情報を受信した場合、前記トリガー条件の設定情報とトリガー事象の設定情報とを端末機器に送信すること、又は、
目標ノードから送信された前記トリガー条件の設定情報とトリガー事象の設定情報とを受信した場合、前記トリガー条件の設定情報とトリガー事象の設定情報とを端末機器に送信することに用いられる、請求項２６に記載のネットワーク側機器。
【請求項３３】
前記ネットワーク側機器が目標ノードである場合、前記送信モジュールは、具体的には、
条件トリガーに基づくセル管理の要求情報をソースノードから受信した場合、前記トリガー条件の設定情報とトリガー事象の設定情報とを、ソースノードを介して端末機器に送信することに用いられる、請求項２６に記載のネットワーク側機器。
【請求項３４】
前記トリガー条件の設定情報と前記トリガー事象の設定情報は、目標ノードとソースノードとのネゴシエーションによって決定される、請求項２６に記載のネットワーク側機器。
【請求項３５】
プロセッサと、メモリと、前記メモリに格納されて前記プロセッサで動作可能なコンピュータプログラムを含む端末機器であって、
前記コンピュータプログラムが前記プロセッサによって実行されると、請求項１〜８のいずれか１項に記載のセル管理方法が実現される、端末機器。
【請求項３６】
プロセッサと、メモリと、前記メモリに格納されて前記プロセッサで動作可能なコンピュータプログラムを含むネットワーク側機器であって、
前記コンピュータプログラムが前記プロセッサによって実行されると、請求項９〜１７のいずれか１項に記載のトリガー条件設定方法が実現される、ネットワーク側機器。
【請求項３７】
コンピュータプログラムが格納されているコンピュータ読み取り可能な記憶媒体であって、
前記コンピュータプログラムがプロセッサによって実行されると、請求項１〜８のいずれか１項に記載のセル管理方法が実現され、又は、請求項９〜１７のいずれか１項に記載のトリガー条件設定方法が実現される、コンピュータ読み取り可能な記憶媒体。
【発明の詳細な説明】
【技術分野】
【０００１】
（関連出願の相互参照）
本願は、２０１８年６月４日に中国特許庁に提出された中国特許出願２０１８１０５６５７５０．１の優先権を主張し、その全ての内容が援用によりここに取り込まれる。
本開示は、通信技術分野に係り、特にセル管理方法、トリガー条件設定方法、端末機器及びネットワーク側機器に係る。
【背景技術】
【０００２】
無線通信システムにおいて、ユーザ機器ＵＥ（Ｕｓｅｒ  Ｅｑｕｉｐｍｅｎｔ）とネットワーク側機器との通信中に、接続状態のユーザ機器ＵＥは、移動により、ある基地局（ユーザ機器ＵＥが現在接続されている基地局）のカバレッジエリアから別の基地局のカバレッジエリアに移動する可能性がある。この場合、ユーザ機器ＵＥは、既存の無線チャネルを新しい無線チャネルに切り替える必要があり、即ち、ハンドオーバ（Ｈａｎｄｏｖｅｒ）を完了する必要がある。
【０００３】
第５世代移動通信技術５Ｇ（５ｔｈ−Ｇｅｎｅｒａｔｉｏｎ）では、切替確率を高めるために、条件切替（ｃｏｎｄｉｔｉｏｎａｌ  Ｈａｎｄｏｖｅｒ）方式が検討されている。条件切替とは、基地局がユーザ機器ＵＥから報告される測定結果に基づいて、ユーザ機器ＵＥのための１つ又は複数の候補目標セルを前もって用意し、候補目標セルリスト、候補目標セルに対応する切替トリガー条件、候補目標セルに対応するリソース設定などを含む条件切替コマンドをユーザ機器ＵＥに送信し、ユーザ機器ＵＥが条件切替コマンドを受信した後、直ちにセルの切替を実行するのではなく、候補セルが所定の切替トリガー条件を満たすと決定した後に初めてセルの切替を実行する。同様に、このような条件付きセル変換の方式は、デュアルコネクティビティＤＣ（Ｄｕａｌ  Ｃｏｎｎｅｃｔｉｖｉｔｙ）アーキテクチャ下のユーザ機器ＵＥの移動によってトリガーされるセカンダリノードＳＮ（Ｓｅｃｏｎｄａｒｙ  Ｎｏｄｅ）の追加（Ａｄｄｉｔｉｏｎ）、変更（Ｃｈａｎｇｅ）、解放（Ｒｅｌｅａｓｅ）又は修正（Ｍｏｄｉｆｉｃａｔｉｏｎ）などのプロセスに応用されてもよく、それによってセカンダリセルグループの管理柔軟性を向上させる。
【０００４】
条件トリガーに基づくセル管理（例えば、セル切替、セル追加又はセル削除など）プロセスでは、ネットワーク側は、ユーザ機器ＵＥが自律的にセル管理プロセスを開始するように、ユーザ機器ＵＥにトリガー条件を設定する必要がある。しかしながら、従来技術の通信システムでは、トリガー条件をどのように設定するかについては、関連の解決策がない。
【発明の概要】
【発明が解決しようとする課題】
【０００５】
本開示の実施例は、条件トリガーに基づくセル管理プロセスにおけるトリガー条件の設定を標準化するために、セル管理方法、トリガー条件設定方法、端末機器及びネットワーク側機器を提供する。
【課題を解決するための手段】
【０００６】
第１態様として、本開示の実施例は、セル管理方法を提供する。
該方法において、
トリガー条件の設定情報とトリガー事象の設定情報とをネットワーク側機器から受信することと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
前記トリガー条件の設定情報に関連付けられる少なくとも２つのトリガー事象の設定情報に基づいて、前記トリガー条件が満たされているか否かを判断することと、
前記トリガー条件が満たされた場合、セル管理のための無線リソース制御ＲＲＣプロセスを開始することと、
を含む。
【０００７】
第２態様として、本開示の実施例は、トリガー条件設定方法を更に提供する。
該方法において、
トリガー条件の設定情報とトリガー事象の設定情報とを取得することと、
前記トリガー条件の設定情報とトリガー事象の設定情報とを端末機器に送信することと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
を含む。
【０００８】
第３態様として、本開示の実施例は、端末機器を更に提供する。
該端末機器は、
トリガー条件の設定情報とトリガー事象の設定情報とをネットワーク側機器から受信する受信モジュールと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
前記トリガー条件の設定情報に関連付けられる少なくとも２つのトリガー事象の設定情報に基づいて、前記トリガー条件が満たされているか否かを判断する判断モジュールと、
前記トリガー条件が満たされた場合、セル管理のための無線リソース制御ＲＲＣプロセスを開始する開始モジュールと、
を含む。
【０００９】
第４態様として、本開示の実施例は、ネットワーク側機器を更に提供する。
該ネットワーク側機器は、
トリガー条件の設定情報とトリガー事象の設定情報とを取得する取得モジュールと、
前記トリガー条件の設定情報とトリガー事象の設定情報とを端末機器に送信する送信モジュールと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
を含む。
【００１０】
第５態様として、本開示の実施例は、端末機器を更に提供する。
プロセッサと、メモリと、前記メモリに格納されて前記プロセッサで動作可能なコンピュータプログラムを含む端末機器であって、
前記コンピュータプログラムが前記プロセッサによって実行されると、上記第１態様のセル管理方法が実現される。
【００１１】
第６態様として、本開示の実施例は、ネットワーク側機器を更に提供する。
プロセッサと、メモリと、前記メモリに格納されて前記プロセッサで動作可能なコンピュータプログラムを含むネットワーク側機器であって、
前記コンピュータプログラムが前記プロセッサによって実行されると、上記第２態様のトリガー条件設定方法が実現される。
【００１２】
第７態様として、本開示の実施例は、記憶媒体を更に提供する。
コンピュータプログラムが格納されているコンピュータ読み取り可能な記憶媒体であって、
前記コンピュータプログラムがプロセッサによって実行されると、上記第１態様のセル管理方法が実現され、又は、上記第２態様のトリガー条件設定方法が実現される。
【発明の効果】
【００１３】
本開示の実施例において、トリガー条件の設定情報とトリガー事象の設定情報とをネットワーク側機器から受信し、ここで、前記トリガー条件の設定情報と前記トリガー事象の設定情報との間に関連関係があり、且つ、１つのトリガー条件の設定情報に少なくとも２つのトリガー事象の設定情報が関連付けられ、前記トリガー条件の設定情報に関連付けられる少なくとも２つのトリガー事象の設定情報に基づいて、前記トリガー条件が満たされているか否かを判断し、前記トリガー条件が満たされた場合、セル管理のための無線リソース制御ＲＲＣプロセスを開始することによって、条件トリガーに基づくセル管理プロセスにおけるトリガー条件関連内容の設定を標準化する。
【図面の簡単な説明】
【００１４】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００１５】
【図１】本開示の実施例に係る条件切替プロセスのフローチャートである。
【図２】本開示の実施例の応用可能なネットワークシステムの構造図である。
【図３】本開示の実施例に係るセル管理方法のフローチャートである。
【図４】本開示の実施例に係るトリガー条件設定方法のフローチャートである。
【図５】本開示の別の実施例に係るセル管理方法のフローチャートである。
【図６】本開示の実施例に係る端末機器の構造図である。
【図７】本開示の実施例に係るネットワーク側機器の構造図である。
【図８】本開示の別の実施例に係る端末機器の構造図である。
【図９】本開示の別の実施例に係るネットワーク側機器の構造図である。
【発明を実施するための形態】
【００１６】
以下、該実施形態の図面とともに、該実施形態の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００１７】
本開示の明細書及び特許請求の範囲における「第１」、「第２」などの用語は、特定の順序又は前後順を記述するために使用されるのではなく、類似の対象を区別するために使用される。そのように使用されるデータは、本明細書に記載される本願の実施例が、例えば、本明細書に図示又は記載されるもの以外の順序でも実施されるように、適切に交換されることが理解されるべきである。更に、「含む」及び「有する」という用語ならびにそれらの任意の変形は、非排他的を意図しており、例えば、一連の工程又はユニットを含むプロセス、方法、システム、製品又は装置は、必ずしも明確に列挙されたそれらの工程又はユニットに限定されるものではなく、明確に列挙されていないもの又はそれらのプロセス、方法、製品又は装置に固有の他の工程又はユニットを含んでもよい。本明細書及び特許請求の範囲において、「及び／又は」は、連結された対象の少なくとも１つを意味する。例えば、Ａ及び／又はＢ及び／又はＣは、Ａのみ、Ｂのみ、Ｃのみ、ＡとＢの両方が存在すること、ＢとＣの両方が存在すること、ＡとＣの両方が存在すること、及び、ＡとＢとＣがすべて存在することの７種類のケースを含むことを示す。
【００１８】
理解を容易にするために、本開示の実施例に関連するいくつかの用語を以下に説明する。
【００１９】
条件切替：
この実施形態では、条件切替プロセスは、以下のステップを含む。
ステップａにおいて、ソースノードは、１つの目標ノード又は複数の目標ノードに切替要求（ＨＯ  Ｒｅｑｕｅｓｔ）を送信する。
例えば、図１では、ソースノードが目標ノードａ及び目標ノードｂに切替要求を送信する例を説明する。
ステップｂにおいて、目標ノードは、切替確認情報、即ち切替要求応答（ＨＯ  Ｒｅｑｕｅｓｔ  ＡＣＫ）をソースノードにフィードバックする。
図１に示すように、目標ノードａ及び目標ノードｂは、それぞれソースノードに切替要求応答を送信する。
ステップｃにおいて、ソースノードは、条件切替の設定情報を端末に送信する。
ステップｄにおいて、端末は、候補セル条件を評価し、目標セルを１つ選択して切り替えを行う。
このステップにおいて、端末は、候補セルの条件を満たすか否かを評価し、条件を満たす目標セルを１つ選択して切り替えを行う。
図１に示すように、端末は、目標ノードａと目標ノードｂの条件を満たすか否かを評価し、端末が目標ノードａの条件を満たす場合、目標ノードａに対しランダムアクセスプロセスを開始する。
ステップｅにおいて、端末は、選択した目標セルにおいてランダムアクセスプロセスを開始する。
図１に示すように、端末は、目標ノードａを選択してランダムアクセスを開始する。
ステップｆにおいて、端末は、選択した目標ノードに切替完了情報を送信する。
図１に示すように、端末は、目標ノードａに切替完了情報（即ちＨＯ  Ｃｏｍｐｌｅｔｅ）を送信する。
ステップｇにおいて、ソースノードは、選択されなかった他の目標ノードに条件切替キャンセルコマンドを送信する。
図１に示すように、ソースノードは、条件切替キャンセルコマンド（Ｃｏｎｄｉｔｉｏｎａｌ  ＨＯ  Ｃａｎｃｅｌｌａｔｉｏｎ）を目標ノードｂに送信する。
ステップｈにおいて、選択されていない他の目標ノードは、ソースノードに対して条件切替キャンセル確認コマンドを送信する。
図１に示すように、ソースノードは、条件切替キャンセルコマンド（Ｃｏｎｄｉｔｉｏｎａｌ  ＨＯ  Ｃａｎｃｅｌｌａｔｉｏｎ  Ｃｏｎｆｉｒｍａｔｉｏｎ）を目標ノードｂに送信する。
【００２０】
デュアル接続：
第５世代５Ｇ（５ｔｈ  ｇｅｎｅｒａｔｉｏｎ）通信システムでは、ネットワーク側のマスタノードＭＮ（Ｍａｓｔｅｒ  Ｎｏｄｅ）に対応するマスタセルグループＭＣＧ（Ｍａｓｔｅｒ  Ｃｅｌｌ  Ｇｒｏｕｐ）及びネットワーク側のセカンダリノードＳＮ（Ｓｅｃｏｎｄａｒｙ  Ｎｏｄｅ）に対応するセカンダリセルグループＳＣＧ（Ｓｅｃｏｎｄａｒｙ  Ｃｅｌｌ  Ｇｒｏｕｐ）の２つのセルグループを含むデュアルコネクティビティＤＣ（Ｄｕａｌ  Ｃｏｎｎｅｃｔｉｖｉｔｙ）アーキテクチャが新たに導入されている。また、ＭＣＧは、１つのプライマリセルＰＣｅｌｌ（Ｐｒｉｍａｒｙ  Ｃｅｌｌ）及び１つ又は複数のセカンダリセルＳＣｅｌｌ（Ｓｅｃｏｎｄａｒｙ  Ｃｅｌｌ）を含み、セカンダリセルグループは、１つのプライマリセカンダリセルＰＳＣｅｌｌ（Ｐｒｉｍａｒｙ  Ｓｅｃｏｎｄａｒｙ  Ｃｅｌｌ）及び１つ又は複数のＳＣｅｌｌを含む。
【００２１】
図２は、本開示の実施例の応用可能なネットワークシステムの構造図である。図２に示すように、ネットワークシステムは、端末機器１１、ソースノード１２及び目標ノード１３を含む。ここで、端末機器１１は、ユーザ機器ＵＥ（Ｕｓｅｒ  Ｅｑｕｉｐｍｅｎｔ）とも呼ばれる。端末機器１１は、携帯電話、タブレットパソコン（Ｔａｂｌｅｔ  Ｐｅｒｓｏｎａｌ  Ｃｏｍｐｕｔｅｒ）、ラップトップコンピュータ（Ｌａｐｔｏｐ  Ｃｏｍｐｕｔｅｒ）、携帯情報端末ＰＤＡ（Ｐｅｒｓｏｎａｌ  Ｄｉｇｉｔａｌ  Ａｓｓｉｓｔａｎｔ）、モバイルネットワーク装置ＭＩＤ（Ｍｏｂｉｌｅ  Ｉｎｔｅｒｎｅｔ  Ｄｅｖｉｃｅ）、ウェアラブルデバイス（Ｗｅａｒａｂｌｅ  Ｄｅｖｉｃｅ）又は車載デバイスなどの端末側機器である。なお、本開示の実施例において、端末機器１１の具体的なタイプは限定されない。上記ソースノード１２は、端末機器１１が現在接続されているネットワークノードのうちの１つである。例えば、端末機器１１が現在接続されているネットワークノードがマスタノードＭＮ及びセカンダリノードＭＮを含む場合、上記ソースノード１２は、マスタノードＭＮ及びセカンダリノードＭＮのうちの１つである。上記目標ノード１３は、端末機器１１が現在接続されているネットワークノードのうちのネットワークノードであってもよいし、端末機器１１が現在接続されていないネットワークノードであってもよい。本開示の実施例において、端末機器１１によるセル管理は、セル切替、セル追加、セル削除、セル変更の少なくとも１つを含むが、これらに限定されないので、端末機器１１は、セル管理を行うプロセスにおいて、目標ノード１３との接続を削除したり、目標ノード１３との接続を確立したりする。本開示の実施例に応用されるネットワーク構造には、１つ又は複数の目標ノード１３を含んでもよいが、図面では、１つの目標ノード１３を例に挙げている。
【００２２】
また、本開示の実施例において、ネットワークノードは、５Ｇ以降のバージョンの基地局（例えば、５Ｇ  ＮＲ  ＮＢ）であり、又は、他の通信システムにおける基地局であり、又は、ノードＢ、発展型ノードＢ、又はマスタノードＭＮ、又はセカンダリノードＭＮ、又は所属分野における他の用語と称されてもよい。同様の技術的効果を達成する限り、前記基地局は、特定の技術的用語に限定されない。
【００２３】
また、本開示の実施例は、条件切替プロセスに応用されてもよく、即ち、上述したソースノード１２及び目標ノード１３が条件切替プロセスにおけるソース基地局及び目標基地局であってもよいが、ＤＣアーキテクチャに応用されてもよく、即ち、上述したソースノード１２及び目標ノード１３がＤＣアーキテクチャにおけるソースセカンダリノードＭＮ及び目標セカンダリノードＭＮであり、又はＤＣアーキテクチャにおけるソースマスタノードＭＮ及び目標セカンダリノードＭＮである。
【００２４】
なお、本開示の実施例における端末機器１１、ソースノード１２及び目標ノード１３の具体的な機能については、以下の複数の実施例により詳細に説明する。
【００２５】
本開示の実施例は、端末機器に応用されるセル管理方法を提供する。図３は、本開示の実施例に係るセル管理方法のフローチャートであり、図３に示されるように、以下のステップを含む。
【００２６】
ステップ３０１において、トリガー条件の設定情報とトリガー事象の設定情報とをネットワーク側機器から受信し、ここで、前記トリガー条件の設定情報と前記トリガー事象の設定情報との間に関連関係があり、且つ、１つのトリガー条件の設定情報に少なくとも２つのトリガー事象の設定情報が関連付けられる。
【００２７】
この実施形態において、ネットワーク側機器は、無線リソース制御ＲＲＣ（Ｒａｄｉｏ  Ｒｅｓｏｕｒｃｅ  Ｃｏｎｔｒｏｌ）で上記トリガー条件の設定情報及びトリガー事象の設定情報を送信する。これについて、本開示の実施例では限定せず、例えば他の下りメッセージであってもよい。
【００２８】
ネットワーク側機器は、トリガー条件の設定情報とトリガー事象の設定情報とをそれぞれ異なるＲＲＣメッセージで端末機器に送信してもよいし、トリガー条件の設定情報とトリガー事象の設定情報とを同一のＲＲＣメッセージで端末機器に送信してもよいことは理解される。
【００２９】
上記トリガー条件の設定情報は、１つ又は複数のトリガー条件の設定情報を含み、且つ各トリガー条件の設定情報は、少なくとも２つのトリガー事象の設定情報に関連付けられる。
【００３０】
上記トリガー条件の設定情報は、トリガー条件の有効期間を含むが、これに限定されない。上記のトリガー事象の設定情報は、トリガー事象のタイプ（目標セルの測定結果に基づくトリガー事象、サービングセルの測定結果に基づくトリガー事象、又はサービングセルのデータ伝送パケットロス率に基づくトリガー事象など）、トリガー事象の測定パラメータ（例えば基準信号受信電力ＲＳＲＰ（Ｒｅｆｅｒｅｎｃｅ  Ｓｉｇｎａｌ  Ｒｅｃｅｉｖｉｎｇ  Ｐｏｗｅｒ）、基準信号受信品質ＲＳＲＱ（Ｒｅｆｅｒｅｎｃｅ  Ｓｉｇｎａｌ  Ｒｅｃｅｉｖｉｎｇ  Ｑｕａｌｉｔｙ）、信号対干渉プラス雑音比ＳＩＮＲ（Ｓｉｇｎａｌ  ｔｏ  Ｉｎｔｅｒｆｅｒｅｎｃｅ  Ｐｌｕｓ  Ｎｏｉｓｅ  Ｒａｔｉｏ）、遅延など）、トリガー事象の閾値などのうちの少なくとも１つを含むが、これらに限定されない。
【００３１】
選択可能に、前記のトリガー条件の設定情報とトリガー事象の設定情報とをネットワーク側装置から受信することは、
ソースノードから送信されたトリガー条件の設定情報とトリガー事象の設定情報を受信すること、又は、
目標ノードからソースノードを介して送信されたトリガー条件の設定情報とトリガー事象の設定情報を受信することを含む。
【００３２】
一実施形態において、トリガー条件の設定情報及びトリガー事象の設定情報は、ソースノードから端末機器に送信される。ここで、ソースノードは、上記トリガー条件の設定情報及びトリガー事象の設定情報を送信する前に、トリガー条件の設定情報及びトリガー事象の設定情報を、１つ又は複数の目標ノードとのネゴシエーションで決定する。ここで、ここのネゴシエーションは、トリガー条件の設定情報及びトリガー事象の設定情報を決定するためにソースノードと目標ノードとの間でシグナリングのやり取りを行うことである。
【００３３】
例えば、ソースノードは、１又は複数の目標ノードの目標セルの設定情報を受信すると、トリガー条件の設定情報とトリガー事象の設定情報とを関連付け、関連付けた後に、ＲＲＣメッセージで上記トリガー条件の設定情報とトリガー事象の設定情報とを送信する。なお、１つの目標ノードは、１つ又は複数の目標セルの設定情報に対応してもよい。
【００３４】
本実施形態において、ソースノードから送信されたトリガー条件の設定情報とトリガー事象の設定情報を受信することにより、端末機器が、１つ又は複数の目標ノードに対応するトリガー条件の設定情報とトリガー事象の設定情報をソースノードから受信することができるので、伝送オーバーヘッドを節約することができる。
【００３５】
他の実施形態において、目標ノードからソースノードを介して端末機器に送信されたトリガー条件の設定情報及びトリガー事象の設定情報を受信する。ここで、上記目標ノードは、上記トリガー条件の設定情報及びトリガー事象の設定情報を送信する前に、上記トリガー条件の設定情報及びトリガー事象の設定情報をソースノードとのネゴシエーションで決定する。
【００３６】
例えば、目標ノードは、１つ又は複数の条件トリガーに基づくセル管理の要求情報をソースノードから受信した後に、トリガー条件の設定情報とトリガー事象の設定情報とを関連付け、関連付けられたトリガー条件の設定情報とトリガー事象の設定情報とをソースノードに送信し、トリガー条件の設定情報とトリガー事象の設定情報とをソースノードを介して端末機器に送信する。
【００３７】
本実施形態において、ソースノードを介して目標ノードから送信されるトリガー条件の設定情報とトリガー事象の設定情報を受信するので、トリガー条件の設定情報とトリガー事象の設定情報が目標ノードから送信されることが実現される。上記トリガー条件の設定情報とトリガー事象の設定情報は、ソースノードにとって透明であり、転送又はトランスペアレント伝送を行うだけでよいので、ソースノードの複雑度を低減し、その消費電力を節約することができる。
【００３８】
なお、上記ソースノード及び目標ノードは、それぞれ、セル切替プロセスにおけるソース基地局及び目標基地局、又はＤＣにおけるソースセカンダリノードＭＮ及び目標セカンダリノードＭＮ、又はＤＣにおけるソースマスタノードＭＮ及び目標セカンダリノードＭＮなどが挙げられるが、本開示の実施例では、これについて限定しない。
【００３９】
ステップ３０２において、前記トリガー条件の設定情報に関連する少なくとも２つのトリガー事象の設定情報に基づいて、前記トリガー条件が満たされているか否かを判断する。
【００４０】
本実施形態において、トリガー条件の設定情報とトリガー事象の設定情報との間に関連関係があり、且つ１つのトリガー条件の設定情報には少なくとも２つのトリガー事象の設定情報が関連付けられているので、端末機器は、ネットワーク側の設定に応じて、トリガー条件の設定情報に関連付けられている少なくとも２つのトリガー事象の設定情報を評価して、該トリガー条件が満たされているか否かを判断する。
【００４１】
例えば、トリガー条件の設定情報に関連付けられた少なくとも２つのトリガー事象の設定情報のうちのいずれかのトリガー事象の設定情報が満たされた場合、そのトリガー条件が満たされたと決定したり、トリガー条件の設定情報に関連付けられた少なくとも２つのトリガー事象の設定情報のうちの全てのトリガー事象の設定情報が満たされた場合、そのトリガー条件が満たされたと決定したりする。
【００４２】
例えば、トリガー条件Ｐの設定情報に関連する少なくとも２つのトリガー事象の設定情報は、トリガー事象の設定情報ａ及びトリガー事象の設定情報ｂを含む。ここで、トリガー事象の設定情報ａにおいて、トリガー事象のタイプとして目標セルの測定結果が閾値ａ以上であり、トリガー事象の測定パラメータがＲＳＲＰであり、トリガー事象の設定情報ｂにおいて、トリガー事象のタイプとしてサービングセルの測定結果が閾値ｂ以下であり、トリガー事象の測定パラメータがＲＳＲＰである場合、トリガー事象の設定情報ａ及びトリガー事象の設定情報ｂのいずれかが満たされた場合にトリガー条件ｐが満たされたと決定し、又は、トリガー事象の設定情報ａ及びトリガー事象の設定情報ｂが満たされた場合にトリガー条件ｐが満たされたと決定する。
【００４３】
ステップ３０３において、前記トリガー条件が満たされた場合、セル管理のための無線リソース制御ＲＲＣプロセスを開始する。
【００４４】
この実施例において、上記セル管理は、上記条件切替によるセル切替、又はＤＣアーキテクチャでマスタノードＭＮによってトリガーされるセカンダリノードＭＮ追加（Ａｄｄｉｔｉｏｎ）、変更（Ｃｈａｎｇｅ）、解放（Ｒｅｌｅａｓｅ）又は修正（Ｍｏｄｉｆｉｃａｔｉｏｎ）、又はＤＣアーキテクチャでセカンダリノードＭＮによってトリガーされるセカンダリノードＭＮ追加（Ａｄｄｉｔｉｏｎ）、変更（Ｃｈａｎｇｅ）、解放（Ｒｅｌｅａｓｅ）又は修正（Ｍｏｄｉｆｉｃａｔｉｏｎ）などを含む。
【００４５】
本開示の実施例において、トリガー条件が満たされた場合、セル管理プロセスを更に実行するために、無線リソース制御ＲＲＣ（Ｒａｄｉｏ  Ｒｅｓｏｕｒｃｅ  Ｃｏｎｔｒｏｌ）プロセスを開始する。
【００４６】
本開示の実施例に係るセル管理方法において、トリガー条件の設定情報とトリガー事象の設定情報とをネットワーク側機器から受信し、ここで、前記トリガー条件の設定情報と前記トリガー事象の設定情報との間に関連関係があり、且つ、１つのトリガー条件の設定情報に少なくとも２つのトリガー事象の設定情報が関連付けられ、前記トリガー条件の設定情報に関連付けられる少なくとも２つのトリガー事象の設定情報に基づいて、前記トリガー条件が満たされているか否かを判断し、前記トリガー条件が満たされた場合、セル管理のための無線リソース制御ＲＲＣプロセスを開始することによって、条件トリガーに基づくセル管理プロセスにおけるトリガー条件関連内容の設定を標準化する。また、トリガー条件の設定情報に関連付けられた少なくとも２つのトリガー事象の設定情報に基づいてトリガー条件を評価することにより、判定結果をより正確なものとすることができる。
【００４７】
選択可能に、前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む。
【００４８】
一実施形態において、トリガー条件の設定情報、トリガー事象の設定情報及びそれらの間の関連関係は、それぞれ異なるリストに格納される。上記トリガー条件情報リストの各項目は、それぞれ１つのトリガー条件の設定情報を含み、上記トリガー事象情報リストの各項目は、それぞれ１つのトリガー事象の設定情報を含み、上記関連関係リストの各項目は、それぞれ１つの関連関係を含む。
【００４９】
本開示の実施例において、１つのトリガー条件の設定情報が少なくとも２つのトリガー事象の設定情報に関連するので、１つの関連関係は、１つのトリガー条件の設定情報と少なくとも２つのトリガー事象の設定情報との間の関連関係を含み、即ち、上記関連関係リストの各項目は、１つのトリガー条件の設定情報と少なくとも２つのトリガー事象の設定情報との間の関連関係を含むことが理解される。
【００５０】
選択可能に、前記トリガー条件情報リストの各項目は、トリガー条件の設定情報と、それに対応する識別情報とを含み、
前記トリガー事象情報リストの各項目は、トリガー事象の設定情報と、それに対応する識別情報とを含む。
【００５１】
本実施形態において、上記トリガー条件情報リストの各項目は、トリガー条件の設定情報に加えて、識別情報を更に含む。例えば、上記トリガー条件情報リストの各項目は、トリガー条件の設定情報と、それに対応する識別情報（例えば、ｃｏｎｄｉｔｉｏｎ  ＩＤ）とを含む。これにより、トリガー条件の設定情報に対応する識別情報によってトリガー条件の設定情報を特定したり、該識別情報によってトリガー条件の設定情報とトリガー事象の設定情報とを関連付けたりする。
【００５２】
同様に、上記トリガー事象情報リストの各項目は、トリガー事象の設定情報に加えて、識別情報を更に含む。例えば、上記トリガー事象情報リストの各項目は、トリガー事象の設定情報と、それに対応する識別情報（例えば、ｅｖｅｎｔ  ＩＤ）とを含む。これにより、トリガー事象の設定情報に対応する識別情報によってトリガー事象の設定情報を特定したり、該識別情報によってトリガー事象の設定情報とトリガー条件の設定情報とを関連付けたりする。
【００５３】
選択可能に、前記関連関係は、
トリガー条件の設定情報に対応する識別情報と、前記トリガー事象情報リストの表項目ラベルとの関連関係、又は、
前記トリガー条件情報リストの表項目ラベルと、トリガー事象の設定情報に対応する識別情報との関連関係、又は、
前記トリガー条件情報リストの表項目ラベルと、前記トリガー事象情報リストの表項目ラベルとの関連関係を含む。
【００５４】
この実施形態において、表項目ラベルは、例えば、リストの第１項目がラベル１、リストの第２項目がラベル２であるなど、リストにおける表項目である。
【００５５】
このことからも理解されるように、本開示の実施例における１つのトリガー条件の設定情報には、少なくとも２つのトリガー事象の設定情報が関連付けられているので、トリガー条件の設定情報に対応する識別情報と前記トリガー事象情報リストの表項目ラベルとの関連関係は、少なくとも、１つのトリガー条件の設定情報に対応する識別情報と、前記トリガー事象情報リスト内の少なくとも２つの表項目ラベルとの関連関係を含み、前記トリガー条件情報リストの表項目ラベルとトリガー事象の設定情報に対応する識別情報との関連関係は、少なくとも、トリガー条件情報リストの１つの表項目ラベルと少なくとも２つのトリガー事象設定情報に対応する識別情報との関連関係を含み、前記トリガー条件情報リストの表項目ラベルと前記トリガー事象情報リストの表項目ラベルとの関連関係は、少なくとも、トリガー条件情報リストの１つの表項目ラベルと前記トリガー事象情報リストの少なくとも２つの表項目ラベルの関連関係を含む。
【００５６】
本開示の実施例は、上記のように提供される様々な関連関係により、トリガー条件の設定情報とトリガー事象の設定情報とを柔軟に関連付けることを実現し、柔軟性を向上させることができる。
【００５７】
他の実施形態において、上記トリガー条件の設定情報とトリガー事象の設定情報とを対応付けて同一のリストに格納する。上記トリガー条件設定情報リストの各項目は、トリガー条件の設定情報と、それに対応する少なくとも２つのトリガー事象の設定情報とを含む。これにより、トリガー条件の設定情報とトリガー事象の設定情報とを１つのリストで関連付けることができ、トリガー条件の設定情報とトリガー事象の設定情報とのより柔軟な関連付け設定を実現することができ、シグナリングの伝送オーバーヘッドを節約することができる。
【００５８】
選択可能に、前記トリガー事象の設定情報は、トリガー事象のタイプ、トリガー事象の測定パラメータ、トリガー事象の閾値、トリガータイプ及びトリガー期間のうちの少なくとも１つを含む。
【００５９】
この実施形態において、上記トリガー事象のタイプ、トリガー事象の測定パラメータ、トリガー事象の閾値、トリガータイプ及びトリガー期間などは、ソースノードと目標ノードとのネゴシエーションによって決定される。
【００６０】
選択可能に、前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含むが、それらに限られない。
【００６１】
本実施形態において、上記の目標セルの測定結果に基づくトリガー事象（即ち、第１トリガー事象）は、目標セルの測定結果がある条件を満たすトリガー事象を指し、例えば、目標セルの測定結果が第１閾値以上である。
【００６２】
上記のサービングセルの測定結果に基づくトリガー事象（即ち、第２トリガー事象）は、サービングセルの測定結果がある条件を満たすトリガー事象を指し、例えば、サービングセルの測定結果が第２閾値以下である。
【００６３】
上記の目標セルの測定結果とサービングセルの測定結果とに基づくトリガー事象（即ち、第３トリガー事象）は、目標セルの測定結果とサービングセルの測定結果とがある条件を満たすトリガー事象を指し、例えば、目標セルの測定結果とサービングセルの測定結果との差が第３閾値以上であるか、又は目標セルの測定結果が第４閾値以上であり、且つサービングセルの測定結果が第５閾値以下である。
【００６４】
上記のサービングセルのデータ伝送パケットロス率に基づくトリガー事象（即ち、第４トリガー事象）は、サービングセルのデータ伝送パケットロス率がある条件を満たすことを指し、例えば、サービングセルのデータ伝送パケットロス率が第６閾値以上である。
【００６５】
上記のサービングセルのデータ伝送遅延に基づくトリガー事象（即ち、第５トリガー事象）は、サービングセルのデータ伝送遅延がある条件を満たすことを指し、例えば、サービングセルのデータ伝送遅延が第７閾値以上である。
【００６６】
なお、上記第１閾値、第２閾値、第３閾値、第４閾値、第５閾値、第６閾値及び第７閾値は、上記トリガー事象の設定情報に設定されたトリガー事象の閾値である。
【００６７】
上記トリガー事象の測定パラメータは、ＲＳＲＰ、ＲＳＲＱ、ＳＩＮＲ又は遅延などを含むが、これらに限定されない。上記のトリガータイプは、事象トリガー又は周期的トリガーなどを含む。上記トリガー期間は、あるトリガー事象を満たす期間が該トリガー期間に達した後に初めて該トリガー事象がトリガーされたとすることを指示し、例えば、目標セルの測定結果が閾値以上である期間が５ｍｓ継続した場合に初めて該トリガー事象がトリガーされたとする。
【００６８】
上記トリガー事象の設定情報は、１つのトリガー事象を記述することが理解される。例えば、トリガー事象の設定情報において、トリガー事象のタイプとして、目標セルの測定結果が閾値以上であり、上記トリガー事象の測定パラメータがＲＳＲＰであり、上記トリガー事象の閾値がａである場合、上記トリガー事象の設定情報によって記述されるトリガー事象として、目標セルのＲＳＲＰの測定結果がａ以上であり、目標セルのＲＳＲＰの測定結果がａ以上であると評価された場合、当該トリガー事象がトリガーされたと確認する。
【００６９】
選択可能に、前記トリガー条件の設定情報は、トリガー条件の有効期間を含む。
【００７０】
この実施形態において、上記トリガー条件の有効期間は、そのトリガー条件がその有効期間内に有効であり、超えると該有効期間が無効になることを指示する。
【００７１】
選択可能に、前記の前記トリガー条件の設定情報に関連付けられる少なくとも２つのトリガー事象の設定情報に基づいて、前記トリガー条件が満たされているか否かを判断することは、
前記トリガー条件の設定情報に関連付けられる少なくとも２つのトリガー事象の設定情報のいずれかのトリガー事象の設定情報が満たされた場合、前記トリガー条件が満たされたと決定すること、又は、
前記トリガー条件の設定情報に関連付けられる少なくとも２つのトリガー事象の設定情報のうちのＮ（Ｎは１より大きい整数）個のトリガー事象の設定情報が満たされた場合、前記トリガー条件が満たされたと決定すること、又は、
前記トリガー条件の設定情報に関連付けられる少なくとも２つのトリガー事象の設定情報のうちのすべてのトリガー事象の設定情報が満たされた場合、前記トリガー条件が満たされたと決定することを含む。
【００７２】
この実施形態において、上記Ｎの値は、プロトコルで予め定義されていてもよいし、ネットワーク側機器から設定されてもよい。具体的には、Ｎの値がネットワーク側から設定される場合、ネットワーク側機器は、上記Ｎの値を上記トリガー条件の設定情報及びトリガー事象の設定情報と共に端末機器に送信する。
【００７３】
本開示の実施形態は、上記の前記トリガー条件の設定情報に関連する少なくとも２つのトリガー事象の設定情報に基づいて前記トリガー条件が満たされるか否かを判断する様々な方式によって、トリガー条件評価の柔軟性を向上させるとともに、判定結果の精度を向上させることもできる。
【００７４】
本開示の実施例において、ソースノード又は目標ノードに応用されるトリガー条件設定方法を更に提供する。図４は、本開示の実施例に係るトリガー条件設定方法のフローチャートであり、図４に示すように、以下のステップを含む。
【００７５】
ステップ４０１において、トリガー条件の設定情報とトリガー事象の設定情報とを取得する。
【００７６】
本開示の実施例において、上記トリガー条件の設定情報は、トリガー条件の有効期間を含むが、これに限定されない。上記のトリガー事象の設定情報は、トリガー事象のタイプ（目標セルの測定結果に基づくトリガー事象、サービングセルの測定結果に基づくトリガー事象、又はサービングセルのデータ伝送パケットロス率に基づくトリガー事象など）、トリガー事象の測定パラメータ（例えば基準信号受信電力ＲＳＲＰ（Ｒｅｆｅｒｅｎｃｅ  Ｓｉｇｎａｌ  Ｒｅｃｅｉｖｉｎｇ  Ｐｏｗｅｒ）、基準信号受信品質ＲＳＲＱ（Ｒｅｆｅｒｅｎｃｅ  Ｓｉｇｎａｌ  Ｒｅｃｅｉｖｉｎｇ  Ｑｕａｌｉｔｙ）、信号対干渉プラス雑音比ＳＩＮＲ（Ｓｉｇｎａｌ  ｔｏ  Ｉｎｔｅｒｆｅｒｅｎｃｅ  Ｐｌｕｓ  Ｎｏｉｓｅ  Ｒａｔｉｏ）、遅延など）、トリガー事象の閾値などのうちの少なくとも１つを含むが、これらに限定されない。
【００７７】
選択可能に、前記トリガー条件の設定情報及び前記トリガー事象の設定情報は、目標ノードとソースノードとのネゴシエーションによって決定される。
【００７８】
具体的に、該方法がソースノードに応用される場合、ソースノードは、１つ又は複数の目標ノードとのネゴシエーションによってトリガー条件の設定情報及びトリガー事象の設定情報を決定する。該方法が目標ノードに応用される場合、目標ノードは、ソースノードとのネゴシエーションによってトリガー条件の設定情報及びトリガー事象の設定情報を決定する。
【００７９】
ステップ４０２において、前記トリガー条件の設定情報とトリガー事象の設定情報とを端末機器に送信し、ここで、前記トリガー条件の設定情報と前記トリガー事象の設定情報との間に関連関係があり、且つ、１つのトリガー条件の設定情報に少なくとも２つのトリガー事象の設定情報が関連付けられる。
【００８０】
この実施形態において、上記トリガー条件の設定情報及びトリガー事象の設定情報は、ＲＲＣメッセージで送信される。これについて、本開示の実施例では限定せず、例えば、他の下りメッセージであってもよい。
【００８１】
ネットワーク側機器（例えば目標ノード又はソースノード）は、トリガー条件の設定情報及びトリガー事象の設定情報を、それぞれ異なるＲＲＣメッセージで端末機器に送信してもよいし、トリガー条件の設定情報及びトリガー事象の設定情報を、同じＲＲＣメッセージで端末機器に送信してもよいことは理解される。
【００８２】
上記トリガー条件の設定情報は、１つ又は複数のトリガー条件の設定情報を含み、各トリガー条件の設定情報には、少なくとも２つのトリガー事象の設定情報が関連付けられる。
【００８３】
選択可能に、前記方法がソースノードに応用される場合、前記の前記トリガー条件の設定情報とトリガー事象の設定情報とを端末機器に送信することは、
目標ノードから送信された目標セルの設定情報を受信した場合、前記トリガー条件の設定情報とトリガー事象の設定情報とを端末機器に送信すること、又は、
目標ノードから送信された前記トリガー条件の設定情報とトリガー事象の設定情報とを受信した場合、前記トリガー条件の設定情報とトリガー事象の設定情報とを端末機器に送信することを含む。
【００８４】
本実施形態において、トリガー条件の設定情報とトリガー事象の設定情報とを、ソースノードで端末機器に送信する。例えば、ソースノードは、目標ノードから送信された目標セルの設定情報を受信した場合、トリガー条件の設定情報とトリガー事象の設定情報とを関連付け、関連付けられたトリガー条件の設定情報とトリガー事象の設定情報とを端末機器に送信する。また、ソースノードは、目標ノードから送信されたトリガー条件の設定情報とトリガー事象の設定情報とを受信した場合に、その目標ノードから送信されたたトリガー条件の設定情報とトリガー事象の設定情報とを端末機器に送信する。
【００８５】
選択可能に、前記方法が目標ノードに応用される場合、前記の前記トリガー条件の設定情報とトリガー事象の設定情報とを端末機器に送信することは、条件トリガーに基づくセル管理の要求情報をソースノードから受信した場合、前記トリガー条件の設定情報とトリガー事象の設定情報とを、ソースノードを介して端末機器に送信することを含む。
【００８６】
この実施形態において、目標ノードからソースノードを介して端末機器に送信される前記トリガー条件の設定情報及びトリガー事象の設定情報を受信する。例えば、目標ノードは、条件トリガーに基づくセル管理の要求情報をソースノードから受信した場合に、トリガー条件の設定情報及びトリガー事象の設定情報とを関連付け、関連付けられたトリガー条件の設定情報及びトリガー事象の設定情報をソースノードに送信し、上記関連付けられたトリガー条件の設定情報及びトリガー事象の設定情報をソースノードを介して端末機器に送信する。
【００８７】
なお、上記ソースノード及び目標ノードは、それぞれ、セル切替プロセスにおけるソース基地局及び目標基地局、又はＤＣにおけるソースセカンダリノードＭＮ及び目標セカンダリノードＭＮ、又はＤＣにおけるソースマスタノードＭＮ及び目標セカンダリノードＭＮなどが挙げられるが、本開示の実施例では、これについて限定しない。
【００８８】
上記セル管理は、上記条件切替によるセル切替、又はＤＣアーキテクチャでマスタノードＭＮによってトリガーされるセカンダリノードＭＮ追加（Ａｄｄｉｔｉｏｎ）、変更（Ｃｈａｎｇｅ）、解放（Ｒｅｌｅａｓｅ）又は修正（Ｍｏｄｉｆｉｃａｔｉｏｎ）、又はＤＣアーキテクチャでセカンダリノードＭＮによってトリガーされるセカンダリノードＭＮ追加（Ａｄｄｉｔｉｏｎ）、変更（Ｃｈａｎｇｅ）、解放（Ｒｅｌｅａｓｅ）又は修正（Ｍｏｄｉｆｉｃａｔｉｏｎ）などを含む。
【００８９】
本開示の実施例に係るトリガー条件設定方法において、トリガー条件の設定情報とトリガー事象の設定情報とを取得し、トリガー条件の設定情報とトリガー事象の設定情報とを端末機器に送信する。ここで、前記トリガー条件の設定情報と前記トリガー事象の設定情報との間に関連関係があり、且つ、１つのトリガー条件の設定情報に少なくとも２つのトリガー事象の設定情報が関連付けられ、端末が、トリガー条件の設定情報に関連付けられた少なくとも２つのトリガー事象の設定情報に基づいて該トリガー条件を評価して、セル管理のためのＲＲＣプロセスを開始するか否かを判定するので、条件トリガーに基づくセル管理プロセスにおけるトリガー条件関連内容の設定を標準化するのみならず、判定結果をより正確なものとすることができる。
【００９０】
選択可能に、前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む。
【００９１】
一実施形態において、トリガー条件の設定情報、トリガー事象の設定情報及びそれらの間の関連関係は、それぞれ異なるリストに格納される。上記トリガー条件情報リストの各項目は、それぞれ１つのトリガー条件の設定情報を含み、上記トリガー事象情報リストの各項目は、それぞれ１つのトリガー事象の設定情報を含み、上記関連関係リストの各項目は、それぞれ１つの関連関係を含む。
【００９２】
本開示の実施例において、１つのトリガー条件の設定情報が少なくとも２つのトリガー事象の設定情報に関連するので、１つの関連関係は、１つのトリガー条件の設定情報と少なくとも２つのトリガー事象の設定情報との間の関連関係を含み、即ち、上記関連関係リストの各項目は、１つのトリガー条件の設定情報と少なくとも２つのトリガー事象の設定情報との間の関連関係を含むことが理解される。
【００９３】
選択可能に、前記トリガー条件情報リストの各項目は、トリガー条件の設定情報と、それに対応する識別情報とを含み、
前記トリガー事象情報リストの各項目は、トリガー事象の設定情報と、それに対応する識別情報とを含む。
【００９４】
本実施形態において、上記トリガー条件情報リストの各項目は、トリガー条件の設定情報に加えて、識別情報を更に含む。例えば、上記トリガー条件情報リストの各項目は、トリガー条件の設定情報と、それに対応する識別情報（例えば、ｃｏｎｄｉｔｉｏｎ  ＩＤ）とを含む。これにより、トリガー条件の設定情報に対応する識別情報によってトリガー条件の設定情報を特定したり、該識別情報によってトリガー条件の設定情報とトリガー事象の設定情報とを関連付けたりする。
【００９５】
同様に、上記トリガー事象情報リストの各項目は、トリガー事象の設定情報に加えて、識別情報を更に含む。例えば、上記トリガー事象情報リストの各項目は、トリガー事象の設定情報と、それに対応する識別情報（例えば、ｅｖｅｎｔ  ＩＤ）とを含む。これにより、トリガー事象の設定情報に対応する識別情報によってトリガー事象の設定情報を特定したり、該識別情報によってトリガー事象の設定情報とトリガー条件の設定情報とを関連付けたりする。
【００９６】
選択可能に、前記関連関係は、
トリガー条件の設定情報に対応する識別情報と、前記トリガー事象情報リストの表項目ラベルとの関連関係、又は、
前記トリガー条件情報リストの表項目ラベルと、トリガー事象の設定情報に対応する識別情報との関連関係、又は、
前記トリガー条件情報リストの表項目ラベルと、前記トリガー事象情報リストの表項目ラベルとの関連関係を含む。
【００９７】
この実施形態において、表項目ラベルは、例えば、リストの第１項目がラベル１、リストの第２項目がラベル２であるなど、リストにおける表項目である。
【００９８】
本開示の実施例は、上記のように提供される様々な関連関係により、トリガー条件の設定情報とトリガー事象の設定情報とを柔軟に関連付けることを実現し、柔軟性を向上させることができる。
【００９９】
他の実施形態において、上記トリガー条件の設定情報とトリガー事象の設定情報とを対応付けて同一のリストに格納する。上記トリガー条件設定情報リストの各項目は、トリガー条件の設定情報と、それに対応する少なくとも２つのトリガー事象の設定情報とを含む。これにより、トリガー条件の設定情報とトリガー事象の設定情報とを１つのリストで関連付けることができ、トリガー条件の設定情報とトリガー事象の設定情報とのより柔軟な関連付け設定を実現することができ、シグナリングの伝送オーバーヘッドを節約することができる。
【０１００】
選択可能に、前記トリガー事象の設定情報は、トリガー事象のタイプ、トリガー事象の測定パラメータ、トリガー事象の閾値、トリガータイプ及びトリガー期間のうちの少なくとも１つを含む。
【０１０１】
この実施形態において、上記トリガー事象のタイプ、トリガー事象の測定パラメータ、トリガー事象の閾値、トリガータイプ及びトリガー期間などは、ソースノードと目標ノードとのネゴシエーションによって決定される。
【０１０２】
選択可能に、前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含む。
【０１０３】
本実施形態において、上記の目標セルの測定結果に基づくトリガー事象（即ち、第１トリガー事象）は、目標セルの測定結果がある条件を満たすトリガー事象を指し、例えば、目標セルの測定結果が第１閾値以上である。
【０１０４】
上記のサービングセルの測定結果に基づくトリガー事象（即ち、第２トリガー事象）は、サービングセルの測定結果がある条件を満たすトリガー事象を指し、例えば、サービングセルの測定結果が第２閾値以下である。
【０１０５】
上記の目標セルの測定結果とサービングセルの測定結果とに基づくトリガー事象（即ち、第３トリガー事象）は、目標セルの測定結果とサービングセルの測定結果とがある条件を満たすトリガー事象を指し、例えば、目標セルの測定結果とサービングセルの測定結果との差が第３閾値以上であるか、又は目標セルの測定結果が第４閾値以上であり、且つサービングセルの測定結果が第５閾値以下である。
【０１０６】
上記のサービングセルのデータ伝送パケットロス率に基づくトリガー事象（即ち、第４トリガー事象）は、サービングセルのデータ伝送パケットロス率がある条件を満たすことを指し、例えば、サービングセルのデータ伝送パケットロス率が第６閾値以上である。
【０１０７】
上記のサービングセルのデータ伝送遅延に基づくトリガー事象（即ち、第５トリガー事象）は、サービングセルのデータ伝送遅延がある条件を満たすことを指し、例えば、サービングセルのデータ伝送遅延が第７閾値以上である。
【０１０８】
なお、上記第１閾値、第２閾値、第３閾値、第４閾値、第５閾値、第６閾値及び第７閾値は、上記トリガー事象の設定情報に設定されたトリガー事象の閾値である。
【０１０９】
上記トリガー事象の測定パラメータは、ＲＳＲＰ、ＲＳＲＱ、ＳＩＮＲ又は遅延などを含むが、これらに限定されない。上記のトリガータイプは、事象トリガー又は周期的トリガーなどを含む。上記トリガー期間は、あるトリガー事象を満たす期間が該トリガー期間に達した後に初めて該トリガー事象がトリガーされたとすることを指示し、例えば、目標セルの測定結果が閾値以上である期間が５ｍｓ継続した場合に初めて該トリガー事象がトリガーされたとする。
【０１１０】
上記トリガー事象の設定情報は、１つのトリガー事象を記述することが理解される。例えば、トリガー事象の設定情報において、トリガー事象のタイプとして、目標セルの測定結果が閾値以上であり、上記トリガー事象の測定パラメータがＲＳＲＰであり、上記トリガー事象の閾値がａである場合、上記トリガー事象の設定情報によって記述されるトリガー事象として、目標セルのＲＳＲＰの測定結果がａ以上であり、目標セルのＲＳＲＰの測定結果がａ以上であると評価された場合、当該トリガー事象がトリガーされたと確認する。
【０１１１】
図５は、本開示のもう１つの実施例に係るセル管理方法の模式図である。ここで、図５におけるソースノード及び目標ノードは、セル切替プロセスにおけるソース基地局及び目標基地局、又はＤＣにおけるソースセカンダリノードＭＮ及び目標セカンダリノードＭＮ、又はＤＣにおけるソースマスタノードＭＮ及び目標セカンダリノードＭＮなどが挙げられる。図５に示すように、以下のステップを含む。
【０１１２】
ステップ５０１において、ソースノードと目標ノードは、条件付きセル管理のためのトリガー条件の設定情報、トリガー事象の設定情報及び目標セルの設定情報をネゴシエーションする。
【０１１３】
ここで、上記トリガー事象の設定情報は、トリガー事象のタイプ、トリガー事象の測定パラメータ（例えば、ＲＳＲＰ、ＲＳＲＱ、ＳＩＮＲ、遅延など）、トリガー事象の閾値、トリガータイプ（例えば、事象トリガー、周期的トリガーなど）、トリガー期間（例えば、目標セルの測定結果が閾値以上である時間の長さが５ｍｓ継続した場合に初めて該トリガー事象が実際にトリガーされたとする）を含むが、それらに限られない。
上記トリガー事象のタイプは、目標セルの測定結果が閾値以上であること、サービングセルの測定結果が閾値以下であること、目標セルの測定結果とサービングセルの測定結果との差が閾値以上であること、目標セルの測定結果が第１閾値以上であり、且つサービングセルの測定結果が第２閾値以下であること、サービングセルのデータ伝送パケットロス率が閾値以上であること、サービングセルのデータ伝送遅延が閾値以上であることのいずれかを含み、それらに限られない。
【０１１４】
上記トリガー条件の設定情報は、トリガー条件の有効期間を含む。
【０１１５】
ステップ５０２において、ソースノードは、１つ又は複数の条件トリガーに基づく目標セルの設定情報を１つ又は複数の目標ノードから受信すると、トリガー条件の設定情報、トリガー事象の設定情報及び目標セルの設定情報を関連付けた後のＲＲＣメッセージを端末に送信する。ここで、該ＲＲＣメッセージ設定に係るトリガー条件の設定情報とトリガー事象の設定情報の関連付け方法は、以下である。
【０１１６】
方法１：（複数列テーブル関連付け）
設定は、トリガー事象情報リスト、トリガー条件情報リスト、関連関係リストを含む。
ここで、上記トリガー事象情報リストの各項目は、条件付きセル管理のためのトリガー事象の設定情報を含むが、それに加えて、該トリガー事象の設定情報に対応する識別情報（例えば、ｅｖｅｎｔ  ＩＤ）を更に含んでもよい。
上記トリガー条件情報リストの各項目は、条件付きセル管理のためのトリガー条件の設定情報を含むが、それに加えて、該トリガー条件の設定情報に対応する識別情報（例えば、ｃｏｎｄｉｔｉｏｎ  ＩＤ）を更に含んでもよい。
上記関連関係リストは、トリガー事象の設定情報とトリガー条件の設定情報との関連関係を指示するものであり、上記関連関係リストの各項目の関連関係は、トリガー事象情報リストの表項目ラベル（例えば、リストの第１項目が「ラベル１」である）とトリガー条件の設定情報に対応する識別情報を含む。
選択可能に、上記設定は、目標セル設定リストと、トリガー条件の設定情報と目標セルの設定情報との関連関係リストとを更に含んでもよい。上記目標セル設定リストの各項目は、条件付きセル管理のための目標セルの設定情報を含み、追加的に、該目標セルの設定情報に対応する識別情報（例えば、ｒｅｃｏｎｆｉｇｕｒａｔｉｏｎ  ＩＤ）を更に含んでもよい。
上記トリガー条件の設定情報と目標セルの設定情報との間の関連関係リストの各項目の関連関係は、
トリガー条件の設定情報に対応する識別情報及び目標セルの設定情報に対応する識別情報と、
トリガー条件の設定情報に対応する識別情報及び目標セル設定リストの表項目ラベル（例えば、リストの第１項目が「ラベル１」である）と、
トリガー条件情報リストの表項目ラベル（例えば、リストの第１項目が「ラベル１」である）及び目標セルの設定情報に対応する識別情報と、
トリガー条件情報リストの表項目ラベル（例えば、リストの第１項目が「ラベル１」である）及び目標セル設定リストの表項目ラベル（例えば、リストの第１項目が「ラベル１」である）と、
の少なくとも１つを含む。
【０１１７】
方法２：（単列テーブル関連付け、トリガー事象とトリガー条件とは複数対１の関係）
設定は、トリガー条件設定情報リストを含む。
ここで、上記トリガー条件設定情報リストの各項目は、条件付きセル管理のための１つのトリガー条件の設定情報と、それに対応する複数のトリガー事象の設定情報とを含む。
選択可能に、上記設定は、目標セル設定情報リストを更に含んでもよい。該目標セル設定情報リストの各項目は、条件付きセル管理のための１つのトリガー条件の設定情報及び１つの目標セルの設定情報と、条件付きセル管理のための１つのトリガー条件の設定情報及び複数の目標セルの設定情報と、条件付きセル管理のための複数のトリガー条件の設定情報と１つの目標セルの設定情報とのうちのいずれかを含む。
【０１１８】
選択可能に、上記ステップ５０２は、目標ノードが、１又は複数の条件トリガーに基づくセル管理の要求情報をソースノードから受信した後に、トリガー事象の設定情報と、トリガー条件の設定情報と、目標セルの設定情報とを関連付けた後のＲＲＣメッセージをユーザ機器ＵＥに送信するように置き換えてもよい。ここで、該ＲＲＣメッセージ再設定に係るトリガー事象の設定情報とトリガー条件の設定情報との関連付け方法は、前述した方式と同一であるので、ここで繰り返し述べない。なお、該ＲＲＣメッセージは、目標ノードから直接ユーザ機器ＵＥに送信してもよいし、ソースノードを介してユーザ機器ＵＥに転送してもよい。
【０１１９】
ステップ５０３において、端末機器は、ネットワーク側の設定に基づいて、トリガー条件の評価を行う。該評価方法は、以下のいずれかを含む。
方法１（上記ステップ５０２の方法１に対応）：ユーザ機器ＵＥは、関連関係リストによって指定されたトリガー事象情報リスト中の対応するトリガー事象を評価する。
方法２（上記ステップ５０２の方法２に対応）：ユーザ機器ＵＥは、トリガー条件設定情報リストにおいてトリガー条件に対応するトリガー事象を評価する。
【０１２０】
ここで、トリガー条件が満たされているか否かは、以下の評価方法に基づいて評価する。
トリガー条件に対応する任意のトリガー事象が満たされた場合、トリガー条件が満たされたと見なす。
トリガー条件に対応する複数のトリガー事象が満たされた場合、トリガー条件が満たされたとみなし、ここでトリガー事象が満たされた具体的な数は、プロトコルの取り決めやネットワーク設定に基づく。
トリガー条件に対応する全てのトリガー条件が満たされた場合、トリガー条件が満たされたとみなす。
【０１２１】
ステップ５０４において、端末機器は、トリガー条件が満たされた場合、目標セル設定を応用するか否かを評価する。
【０１２２】
該評価方法は、以下のいずれかを含む。
目標セル設定に対応する任意のトリガー条件が満たされた場合、該目標セル設定を応用する。
目標セル設定に対応する複数のトリガー条件が満たされた場合、該目標セル設定を応用し、ここで、トリガー事象が満たされた具体的な数は、プロトコルの取り決めやネットワーク設定に基づく。
目標セル設定に対応する全てのトリガー条件が満たされた場合、該目標セル設定を応用する。
【０１２３】
本開示の実施例において、条件トリガー後のセル管理方式を採用する場合、ユーザ機器ＵＥは、複数のトリガー事象に基づいてトリガー条件を評価し、セル変換又はセル追加又はセル削除又はセル変更などのプロセスを実行するか否かを決定し、それによって、決定の正確度を向上させる。例えば、複数のトリガー事象に基づいて切替を実行するか否かを評価し、切替成功率を更に向上させ及び不必要な切替を減少させ、ネットワークリソース利用率を最大化することができる。
【０１２４】
図６は、本開示の実施例に係る端末機器の構造図である。
図６に示すように、端末機器６００は、
トリガー条件の設定情報とトリガー事象の設定情報とをネットワーク側機器から受信する受信モジュール６０１と、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
前記トリガー条件の設定情報に関連付けられる少なくとも２つのトリガー事象の設定情報に基づいて、前記トリガー条件が満たされているか否かを判断する判断モジュール６０２と、
前記トリガー条件が満たされた場合、セル管理のための無線リソース制御ＲＲＣプロセスを開始する開始モジュール６０３と、
を含む。
【０１２５】
選択可能に、前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む。
【０１２６】
選択可能に、前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象情報リストの表項目ラベルとの関連関係、又は、
前記トリガー条件情報リストの表項目ラベルと、トリガー事象の設定情報に対応する識別情報との関連関係、又は、
前記トリガー条件情報リストの表項目ラベルと、前記トリガー事象情報リストの表項目ラベルとの関連関係を含む。
【０１２７】
選択可能に、前記トリガー事象の設定情報は、トリガー事象のタイプ、トリガー事象の測定パラメータ、トリガー事象の閾値、トリガータイプ及びトリガー期間のうちの少なくとも１つを含む。
【０１２８】
選択可能に、前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含む。
【０１２９】
選択可能に、前記トリガー条件の設定情報は、トリガー条件の有効期間を含む。
【０１３０】
選択可能に、前記判断モジュールは、具体的には、
前記トリガー条件の設定情報に関連付けられる少なくとも２つのトリガー事象の設定情報のいずれかのトリガー事象の設定情報が満たされた場合、前記トリガー条件が満たされたと決定すること、又は、
前記トリガー条件の設定情報に関連付けられる少なくとも２つのトリガー事象の設定情報のうちのＮ（Ｎは１より大きい整数）個のトリガー事象の設定情報が満たされた場合、前記トリガー条件が満たされたと決定すること、又は、
前記トリガー条件の設定情報に関連付けられる少なくとも２つのトリガー事象の設定情報のうちのすべてのトリガー事象の設定情報が満たされた場合、前記トリガー条件が満たされたと決定することに用いられる。
【０１３１】
選択可能に、Ｎの値は、プロトコルに予め定義されるか、ネットワーク側機器によって設定される。
【０１３２】
選択可能に、前記受信モジュールは、具体的には、
ソースノードから送信されたトリガー条件の設定情報とトリガー事象の設定情報とを受信すること、又は、
目標ノードからソースノードを介して送信されたトリガー条件の設定情報とトリガー事象の設定情報とを受信することに用いられる。
【０１３３】
本開示の実施例に係る端末機器６００は、図３及び図５の方法の実施例で端末機器によって実現される各プロセスを実現することができ、重複を避けるために、ここでは繰り返して述べない。
【０１３４】
本開示の実施例に係る端末機器６００において、受信モジュール６０１は、トリガー条件の設定情報とトリガー事象の設定情報とをネットワーク側機器から受信し、ここで、前記トリガー条件の設定情報と前記トリガー事象の設定情報との間に関連関係があり、且つ、１つのトリガー条件の設定情報に少なくとも２つのトリガー事象の設定情報が関連付けられ、判断モジュール６０２は、前記トリガー条件の設定情報に関連付けられる少なくとも２つのトリガー事象の設定情報に基づいて、前記トリガー条件が満たされているか否かを判断し、開始モジュール６０３は、前記トリガー条件が満たされた場合、セル管理のための無線リソース制御ＲＲＣプロセスを開始する。よって、条件トリガーに基づくセル管理プロセスにおけるトリガー条件関連内容の設定を標準化するだけではなく、決定結果をより正確なものとすることもできる。
【０１３５】
図７は、本開示の実施例に係るネットワーク側機器の構造図であり、前記ネットワーク側機器がソースノード又は目標ノードである。
図７に示すように、ネットワーク側機器７００は、
トリガー条件の設定情報とトリガー事象の設定情報とを取得する取得モジュール７０１と、
前記トリガー条件の設定情報とトリガー事象の設定情報とを端末機器に送信する送信モジュール７０２と、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
を含む。
【０１３６】
選択可能に、前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む。
【０１３７】
選択可能に、前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象の設定情報リストの表項目ラベルとの関連関係、又は、
前記トリガー条件の設定情報リストの表項目ラベルと、トリガー事象の設定情報に対応する識別情報との関連関係、又は、
前記トリガー条件の設定情報リストの表項目ラベルと、前記トリガー事象の設定情報リストの表項目ラベルとの関連関係を含む。
【０１３８】
選択可能に、前記トリガー事象の設定情報は、トリガー事象のタイプ、トリガー事象の測定パラメータ、トリガー事象の閾値、トリガータイプ及びトリガー期間のうちの少なくとも１つを含む。
【０１３９】
選択可能に、前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含む。
【０１４０】
選択可能に、前記トリガー条件の設定情報は、トリガー条件の有効期間を含む。
【０１４１】
選択可能に、前記ネットワーク側機器がソースノードである場合、前記送信モジュールは、具体的には、
目標ノードから送信された目標セルの設定情報を受信した場合、前記トリガー条件の設定情報とトリガー事象の設定情報とを端末機器に送信すること、又は、
目標ノードから送信された前記トリガー条件の設定情報とトリガー事象の設定情報とを受信した場合、前記トリガー条件の設定情報とトリガー事象の設定情報とを端末機器に送信することに用いられる。
【０１４２】
選択可能に、前記ネットワーク側機器が目標ノードである場合、前記送信モジュールは、具体的には、
条件トリガーに基づくセル管理の要求情報をソースノードから受信した場合、前記トリガー条件の設定情報とトリガー事象の設定情報とを、ソースノードを介して端末機器に送信することに用いられる。
【０１４３】
選択可能に、前記トリガー条件の設定情報と前記トリガー事象の設定情報は、目標ノードとソースノードとのネゴシエーションによって決定される。
【０１４４】
本開示の実施例に係るネットワーク側機器７００は、図４及び図５の方法の実施例でネットワーク側機器によって実現される各プロセスを実現することができ、重複を避けるために、ここでは繰り返して述べない。
【０１４５】
本開示の実施例に係るネットワーク側機器７００において、取得モジュール７０１は、トリガー条件の設定情報とトリガー事象の設定情報とを取得し、送信モジュール７０２は、前記トリガー条件の設定情報とトリガー事象の設定情報とを端末機器に送信する。ここで、前記トリガー条件の設定情報と前記トリガー事象の設定情報との間に関連関係があり、且つ、１つのトリガー条件の設定情報に少なくとも２つのトリガー事象の設定情報が関連付けられる。よって、端末が、トリガー条件の設定情報に関連付けられた少なくとも２つのトリガー事象の設定情報に基づいて該トリガー条件を評価して、セル管理のためのＲＲＣプロセスを開始するか否かを判定するので、条件トリガーに基づくセル管理プロセスにおけるトリガー条件関連内容の設定を標準化するのみならず、判定結果をより正確なものとすることができる。
【０１４６】
図８は、本開示のもう１つの実施例に係る端末機器の構造図である。図８に示すように、該端末機器８００は、ラジオ周波数ユニット８０１と、ネットワークモジュール８０２と、音声出力ユニット８０３と、入力ユニット８０４と、センサ８０５と、表示ユニット８０６と、ユーザ入力ユニット８０７と、インタフェースユニット８０８と、メモリ８０９と、プロセッサ８１０と、電源８１１などの構成要素を含むが、それらに限定されない。図８に示される端末機器の構造は、端末機器を限定するものではなく、端末機器は、図示されるよりも多い又は少ない構成要素を含むことができ、又は特定の構成要素を組み合わせることができ、又は異なる構成要素の構成を含むことができることを、当業者は理解可能である。本開示の実施例において、端末機器は、携帯電話、タブレットパソコン、ノートパソコン、パームトップパソコン、車載端末、ウェアラブルデバイス及び歩数計などを含むが、それらに限定されない。
【０１４７】
ここで、ラジオ周波数ユニット８０１は、トリガー条件の設定情報とトリガー事象の設定情報とをネットワーク側機器から受信することに用いられ、ここで、前記トリガー条件の設定情報と前記トリガー事象の設定情報との間に関連関係があり、且つ、１つのトリガー条件の設定情報に少なくとも２つのトリガー事象の設定情報が関連付けられ、
プロセッサ８１０は、前記トリガー条件の設定情報に関連付けられる少なくとも２つのトリガー事象の設定情報に基づいて、前記トリガー条件が満たされているか否かを判断し、前記トリガー条件が満たされた場合、セル管理のための無線リソース制御ＲＲＣプロセスを開始することに用いられる。
【０１４８】
本開示の実施例において、条件トリガーに基づくセル管理プロセスにおけるトリガー条件関連内容の設定を標準化するのみならず、トリガー条件の設定情報に関連付けられた少なくとも２つのトリガー事象の設定情報に基づいて該トリガー条件を評価するので、判定結果をより正確なものとすることもできる。
【０１４９】
選択可能に、前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む。
【０１５０】
選択可能に、前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象情報リストの表項目ラベルとの関連関係、又は、
前記トリガー条件情報リストの表項目ラベルと、トリガー事象の設定情報に対応する識別情報との関連関係、又は、
前記トリガー条件情報リストの表項目ラベルと、前記トリガー事象情報リストの表項目ラベルとの関連関係を含む。
【０１５１】
選択可能に、前記トリガー事象の設定情報は、トリガー事象のタイプ、トリガー事象の測定パラメータ、トリガー事象の閾値、トリガータイプ及びトリガー期間のうちの少なくとも１つを含む。
【０１５２】
選択可能に、前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含む。
【０１５３】
選択可能に、前記トリガー条件の設定情報は、トリガー条件の有効期間を含む。
【０１５４】
選択可能に、前記プロセッサ８１０は、更に、
前記トリガー条件の設定情報に関連付けられる少なくとも２つのトリガー事象の設定情報のいずれかのトリガー事象の設定情報が満たされた場合、前記トリガー条件が満たされたと決定すること、又は、
前記トリガー条件の設定情報に関連付けられる少なくとも２つのトリガー事象の設定情報のうちのＮ（Ｎは１より大きい整数）個のトリガー事象の設定情報が満たされた場合、前記トリガー条件が満たされたと決定すること、又は、
前記トリガー条件の設定情報に関連付けられる少なくとも２つのトリガー事象の設定情報のうちのすべてのトリガー事象の設定情報が満たされた場合、前記トリガー条件が満たされたと決定することに用いられる。
【０１５５】
選択可能に、Ｎの値は、プロトコルに予め定義されるか、ネットワーク側機器によって設定される。
【０１５６】
選択可能に、前記プロセッサ８１０は、更に、
ソースノードから送信されたトリガー条件の設定情報とトリガー事象の設定情報とを受信すること、又は、
目標ノードからソースノードを介して送信されたトリガー条件の設定情報とトリガー事象の設定情報とを受信することに用いられる。
【０１５７】
なお、本開示の実施例において、ラジオ周波数ユニット８０１は、情報の送受信又は通話中で信号の送受信に用いられ、具体的に、基地局からの下りデータを受信した後、プロセッサ８１０による処理に供し、また、上りデータを基地局に送信する。一般に、ラジオ周波数ユニット８０１は、アンテナ、少なくとも１つの増幅器、トランシーバ、結合器、低雑音増幅器、デュプレクサなどを含むが、それらに限定されない。また、ラジオ周波数ユニット８０１は、無線通信システムを介してネットワークや他の機器と通信を行うこともできる。
【０１５８】
端末機器は、ネットワークモジュール８０２を介して、電子メールの送受信、ウェブページの閲覧、ストリーミングメディアへのアクセスをサポートするなど、無線ブロードバンドインターネットアクセスをユーザに提供する。
【０１５９】
音声出力ユニット８０３は、ラジオ周波数ユニット８０１やネットワークモジュール８０２が受信した音声データや、メモリ８０９に記憶された音声データを音声信号に変換して音声として出力することができる。また、音声出力ユニット８０３は、端末機器８００が実行する特定の機能に関する音声（例えば、呼出信号着信音、メッセージ着信音等）を出力してもよい。音声出力ユニット８０３は、スピーカ、ブザー及びレシーバなどを含む。
【０１６０】
入力ユニット８０４は、音声や映像の信号を受信することに用いられる。入力ユニット８０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）８０４１と、マイク８０４２とを含む。処理された画像フレームは、表示ユニット８０６上に表示される。グラフィックスプロセッサ８０４１で処理された画像フレームは、メモリ８０９（又は他の記憶媒体）に記憶されるか、又はラジオ周波数ユニット８０１又はネットワークモジュール８０２を介して送信される。マイク８０４２は、音声を受信し、音声データに加工することができる。処理された音声データは、電話通話モードの場合、ラジオ周波数ユニット８０１を介して移動体通信基地局に送信可能な形式に変換して出力することができる。
【０１６１】
端末機器８００は、光センサ、モーションセンサ及び他のセンサのような少なくとも１つのセンサ８０５を更に含む。具体的には、光センサは、周辺光センサ及び近接センサを含む。周辺光センサは、周辺光の明暗に応じて表示パネル８０６１の輝度を調節し、近接センサは、端末機器８００が耳に移動したときに表示パネル８０６１及び／又はバックライトを消灯する。モーションセンサの１種として、加速度計センサは、様々な方向（一般的には３軸）の加速度の大きさを検出でき、静止時は重力の大きさ及び方向を検出でき、端末機器姿勢の認識（例えば、縦横スクリーン切替、関連ゲーム、磁力計姿勢キャリブレーション）、振動認識関連機能（たとえば、歩数計、ストローク）などに用いることができる。センサ８０５は、指紋センサ、圧力センサ、虹彩センサ、分子センサ、ジャイロスコープ、気圧計、湿度計、温度計、赤外線センサなどを更に含むことができるが、ここでは枚挙しない。
【０１６２】
表示ユニット８０６は、ユーザが入力した情報やユーザに提供した情報を表示するために用いられる。表示ユニット８０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル８０６１を含んでもよい。
【０１６３】
ユーザ入力ユニット８０７は、数字や文字情報の入力を受け付け、ユーザによる端末機器の設定や機能制御に関するキー信号の入力を行うことに用いられる。具体的に、ユーザ入力ユニット８０７は、タッチスクリーン８０７１と、その他の入力機器８０７２とを含む。タッチスクリーン８０７１は、タッチスクリーンとも呼ばれ、その上又は付近でのユーザのタッチ操作を取得可能である（たとえばユーザが指やスタイラスなどの任意の適切な物体や付属部材を用いたタッチスクリーン８０７１の上又はタッチスクリーン８０７１の付近での操作）。タッチスクリーン８０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ８１０に送り、プロセッサ８１０からの命令を受信して実行する。なお、タッチスクリーン８０７１は、抵抗膜式、静電容量式、赤外線、表面弾性波など、種々の方式を用いて実現することができる。ユーザ入力ユニット８０７は、タッチスクリーン８０７１の他に、他の入力機器８０７２を含んでもよい。具体的に、他の入力機器８０７２は、物理的なキーボード、機能キー（例えば、音量調節キー、スイッチキーなど）、トラックボール、マウス、レバーを含むが、ここでは枚挙しない。
【０１６４】
更に、タッチスクリーン８０７１は、表示パネル８０６１に重ねられる。タッチスクリーン８０７１は、その上又はその近くでタッチ操作を検出すると、プロセッサ８１０に送信して、タッチ事象のタイプを決定する。次いで、プロセッサ８１０は、タッチ事象のタイプに応じて、対応する視覚的出力を表示パネル８０６１に提供する。図８では、タッチスクリーン８０７１と表示パネル８０６１は、独立した２つの部品として端末機器の入出力機能を実現するが、実施例によっては、タッチスクリーン８０７１と表示パネル８０６１を一体化して端末機器の入出力機能を実現することもでき、具体的にここでは限定しない。
【０１６５】
インタフェースユニット８０８は、外部装置と端末機器８００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット８０８は、外部装置から入力（たとえば、データ情報、電力など）を受信し、受信した入力を端末機器８００内の１つ以上のユニットに伝送するために使用されてもよく、又は端末機器８００と外部装置との間でデータを伝送するために使用されてもよい。
【０１６６】
メモリ８０９は、ソフトウェアプログラム及び様々なデータを格納するために使用される。メモリ８０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ８０９は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【０１６７】
プロセッサ８１０は、端末機器の制御センタであり、各種インタフェースや回線を用いて端末機器全体の各部を接続し、メモリ８０９に格納されたソフトウェアプログラム及び／又はモジュールを実行、メモリ８０９に格納されたデータを呼び出して端末機器の各種機能及び処理データを実行し、端末機器全体の監視を行う。プロセッサ８１０は、１つ以上の処理ユニットを含んでもよい。選択可能に、プロセッサ８１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ８１０に統合されなくてもよいことが理解される。
【０１６８】
端末機器８００は、各構成要素に電力を供給するためのバッテリのような電源８１１を更に含んでもよい。選択可能に、電源８１１は、電源管理システムを介してプロセッサ８１０に論理的に接続されてもよく、電源管理システムを介して充電、放電、及び消費電力管理などを管理する機能を実現してもよい。
【０１６９】
また、端末機器８００は、図示しない機能モジュールを更に含んでもよく、ここでの説明は省略する。
【０１７０】
選択可能に、本開示の実施例は、プロセッサ８１０と、メモリ８０９と、メモリ８０９に格納されて前記プロセッサ８１０で動作可能なコンピュータプログラムを含む端末機器を更に提供し、該コンピュータプログラムがプロセッサ８１０によって実行されると、上記セル管理方法の実施例の各プロセスが実現され、且つ同じ効果を奏することもでき、重複を避けるために、ここでは繰り返して記載しない。
【０１７１】
本開示の実施例は、コンピュータプログラムが格納されているコンピュータ読み取り可能な記憶媒体を更に提供し、当該コンピュータプログラムがプロセッサによって実行されると、上記セル管理方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１７２】
図９は、本開示のもう１つの実施例に係るネットワーク側機器の構造図であり、該ネットワーク側機器がソースノード又は目標モードである。図９に示すように、ネットワーク側機器９００は、プロセッサ９０１と、メモリ９０２と、バスインタフェース９０３と、トランシーバ９０４を含む。ここで、プロセッサ９０１、メモリ９０２及びトランシーバ９０４は、全てバスインタフェース９０３に接続される。
【０１７３】
ここで、本開示の実施例において、ネットワーク側機器９００は、メモリ９０２に格納されてプロセッサ９０１で動作可能なコンピュータプログラムを更に含み、コンピュータプログラムがプロセッサ９０１によって実行されると、
トリガー条件の設定情報とトリガー事象の設定情報とを取得するステップと、
前記トリガー条件の設定情報とトリガー事象の設定情報とを端末機器に送信するステップと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
が実現される。
【０１７４】
選択可能に、前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む。
【０１７５】
選択可能に、前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象の設定情報リストの表項目ラベルとの関連関係、又は、
前記トリガー条件の設定情報リストの表項目ラベルと、トリガー事象の設定情報に対応する識別情報との関連関係、又は、
前記トリガー条件の設定情報リストの表項目ラベルと、前記トリガー事象の設定情報リストの表項目ラベルとの関連関係を含む。
【０１７６】
選択可能に、前記トリガー事象の設定情報は、トリガー事象のタイプ、トリガー事象の測定パラメータ、トリガー事象の閾値、トリガータイプ及びトリガー期間のうちの少なくとも１つを含む。
【０１７７】
選択可能に、前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含む。
【０１７８】
選択可能に、前記トリガー条件の設定情報は、トリガー条件の有効期間を含む。
【０１７９】
選択可能に、前記方法がソースノードに応用される場合、前記コンピュータプログラムがプロセッサ９０１によって実行されると、
目標ノードから送信された目標セルの設定情報を受信した場合、前記トリガー条件の設定情報とトリガー事象の設定情報とを端末機器に送信するステップ、又は、
目標ノードから送信された前記トリガー条件の設定情報とトリガー事象の設定情報とを受信した場合、前記トリガー条件の設定情報とトリガー事象の設定情報とを端末機器に送信するステップが実現される。
【０１８０】
選択可能に、前記方法が目標ノードに応用される場合、前記コンピュータプログラムがプロセッサ９０１によって実行されると、
条件トリガーに基づくセル管理の要求情報をソースノードから受信した場合、前記トリガー条件の設定情報とトリガー事象の設定情報とを、ソースノードを介して端末機器に送信するステップが実現される。
【０１８１】
選択可能に、前記トリガー条件の設定情報と前記トリガー事象の設定情報は、目標ノードとソースノードとのネゴシエーションによって決定される。
【０１８２】
本開示の実施例は、プロセッサ９０１と、メモリ９０２と、メモリ９０２に格納されて前記プロセッサ９０１で動作可能なコンピュータプログラムを含むネットワーク側機器を更に提供し、該コンピュータプログラムがプロセッサ９０１によって実行されると、上記トリガー条件設定方法の実施例の各プロセスが実現され、且つ同じ効果を奏することもでき、重複を避けるために、ここでは繰り返して記載しない。
【０１８３】
本開示の実施例は、コンピュータプログラムが格納されているコンピュータ読み取り可能な記憶媒体を更に提供し、当該コンピュータプログラムがプロセッサによって実行されると、上記トリガー条件設定方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【０１８４】
なお、本明細書において、「含む」や「含有する」又はそれ以外のあらゆる変形用語は、非排他的に含むことを意味する。よって、一連のユニットを含むプロセス、方法、モノ又は装置は、それらのユニットを含むだけではなく、明確に列挙されていない他のユニットを更に含み、又はこのようなプロセス、方法、モノ又は装置に固有のユニットを更に含む。特に限定されない限り、「・・・を１つ含む」の表現によって限定されるユニットについて、当該ユニットを含むプロセス、方法、モノ又は装置に他の同一ユニットの存在を除外しない。
【０１８５】
以上の実施形態の記載から、上記実施例の方法が、ソフトウェアに必須の汎用ハードウェアプラットフォームの形態で実現され、ハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末（携帯電話、コンピュータ、サーバー、空調機又はネットワークデバイスなど）に実行させるいくつかの指令を含む。
【０１８６】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨及び特許請求の範囲から逸脱することなくなしえる多くの形態は、すべて本開示の保護範囲に含まれる。
【図１】
2021525492.tif 000003
【図２】
2021525492.tif 000004
【図３】
2021525492.tif 000005
【図４】
2021525492.tif 000006
【図５】
2021525492.tif 000007
【図６】
2021525492.tif 000008
【図７】
2021525492.tif 000009
【図８】
2021525492.tif 000010
【図９】
2021525492.tif 000011
【手続補正書】
【提出日】令和2年12月23日(2020.12.23)
【手続補正１】
【補正対象書類名】明細書
【補正対象項目名】００１９
【補正方法】変更
【補正の内容】
【００１９】
条件切替：
この実施形態では、条件切替プロセスは、以下のステップを含む。
ステップａにおいて、ソースノードは、１つの目標ノード又は複数の目標ノードに切替要求（ＨＯ  Ｒｅｑｕｅｓｔ）を送信する。
例えば、図１では、ソースノードが目標ノードａ及び目標ノードｂに切替要求を送信する例を説明する。
ステップｂにおいて、目標ノードは、切替確認情報、即ち切替要求応答（ＨＯ  Ｒｅｑｕｅｓｔ  ＡＣＫ）をソースノードにフィードバックする。
図１に示すように、目標ノードａ及び目標ノードｂは、それぞれソースノードに切替要求応答を送信する。
ステップｃにおいて、ソースノードは、条件切替の設定情報を端末に送信する。
ステップｄにおいて、端末は、候補セル条件を評価し、目標セルを１つ選択して切り替えを行う。
このステップにおいて、端末は、候補セルの条件を満たすか否かを評価し、条件を満たす目標セルを１つ選択して切り替えを行う。
図１に示すように、端末は、目標ノードａと目標ノードｂの条件を満たすか否かを評価し、端末が目標ノードａの条件を満たす場合、目標ノードａに対しランダムアクセスプロセスを開始する。
ステップｅにおいて、端末は、選択した目標セルにおいてランダムアクセスプロセスを開始する。
図１に示すように、端末は、目標ノードａを選択してランダムアクセスを開始する。
ステップｆにおいて、端末は、選択した目標ノードに切替完了情報を送信する。
図１に示すように、端末は、目標ノードａに切替完了情報（即ちＨＯ  Ｃｏｍｐｌｅｔｅ）を送信する。
ステップｇにおいて、ソースノードは、選択されなかった他の目標ノードに条件切替キャンセルコマンドを送信する。
図１に示すように、ソースノードは、条件切替キャンセルコマンド（Ｃｏｎｄｉｔｉｏｎａｌ  ＨＯ  Ｃａｎｃｅｌｌａｔｉｏｎ）を目標ノードｂに送信する。
ステップｈにおいて、選択されていない他の目標ノードは、ソースノードに対して条件切替キャンセル確認コマンドを送信する。
図１に示すように、目標ノードｂは、条件切替キャンセルコマンド（Ｃｏｎｄｉｔｉｏｎａｌ  ＨＯ  Ｃａｎｃｅｌｌａｔｉｏｎ  Ｃｏｎｆｉｒｍａｔｉｏｎ）をソースノードに送信する。
【手続補正２】
【補正対象書類名】明細書
【補正対象項目名】０１２０
【補正方法】変更
【補正の内容】
【０１２０】
ここで、トリガー条件が満たされているか否かは、以下の評価方法に基づいて評価する。
トリガー条件に対応する任意のトリガー事象が満たされた場合、トリガー条件が満たされたと見なす。
トリガー条件に対応する複数のトリガー事象が満たされた場合、トリガー条件が満たされたとみなし、ここでトリガー事象が満たされた具体的な数は、プロトコルの取り決めやネットワーク設定に基づく。
トリガー条件に対応する全てのトリガー事象が満たされた場合、トリガー条件が満たされたとみなす。
【手続補正３】
【補正対象書類名】明細書
【補正対象項目名】０１２２
【補正方法】変更
【補正の内容】
【０１２２】
該評価方法は、以下のいずれかを含む。
目標セル設定に対応する任意のトリガー条件が満たされた場合、該目標セル設定を応用する。
目標セル設定に対応する複数のトリガー条件が満たされた場合、該目標セル設定を応用し、ここで、トリガー条件が満たされた具体的な数は、プロトコルの取り決めやネットワーク設定に基づく。
目標セル設定に対応する全てのトリガー条件が満たされた場合、該目標セル設定を応用する。
【手続補正４】
【補正対象書類名】明細書
【補正対象項目名】０１３７
【補正方法】変更
【補正の内容】
【０１３７】
選択可能に、前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象情報リストの表項目ラベルとの関連関係、又は、
前記トリガー条件情報リストの表項目ラベルと、トリガー事象の設定情報に対応する識別情報との関連関係、又は、
前記トリガー条件情報リストの表項目ラベルと、前記トリガー事象情報リストの表項目ラベルとの関連関係を含む。
【手続補正５】
【補正対象書類名】明細書
【補正対象項目名】０１７５
【補正方法】変更
【補正の内容】
【０１７５】
選択可能に、前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象情報リストの表項目ラベルとの関連関係、又は、
前記トリガー条件情報リストの表項目ラベルと、トリガー事象の設定情報に対応する識別情報との関連関係、又は、
前記トリガー条件情報リストの表項目ラベルと、前記トリガー事象情報リストの表項目ラベルとの関連関係を含む。
【手続補正６】
【補正対象書類名】特許請求の範囲
【補正対象項目名】全文
【補正方法】変更
【補正の内容】
【特許請求の範囲】
【請求項１】
端末機器に応用されるセル管理方法であって、
トリガー条件の設定情報とトリガー事象の設定情報とをネットワーク側機器から受信することと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
前記トリガー条件の設定情報に関連付けられる少なくとも２つのトリガー事象の設定情報に基づいて、前記トリガー条件が満たされているか否かを判断することと、
前記トリガー条件が満たされた場合、セル管理のための無線リソース制御ＲＲＣプロセスを開始することと、
を含む、セル管理方法。
【請求項２】
前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む、請求項１に記載のセル管理方法。
【請求項３】
前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象情報リストの表項目ラベルとの関連関係、又は、
前記トリガー条件情報リストの表項目ラベルと、トリガー事象の設定情報に対応する識別情報との関連関係、又は、
前記トリガー条件情報リストの表項目ラベルと、前記トリガー事象情報リストの表項目ラベルとの関連関係を含む、請求項２に記載のセル管理方法。
【請求項４】
前記トリガー事象の設定情報は、トリガー事象のタイプ、トリガー事象の測定パラメータ、トリガー事象の閾値、トリガータイプ及びトリガー期間のうちの少なくとも１つを含む、請求項１に記載のセル管理方法。
【請求項５】
前記トリガー事象のタイプは、目標セルの測定結果に基づく第１トリガー事象、サービングセルの測定結果に基づく第２トリガー事象、目標セルの測定結果とサービングセルの測定結果とに基づく第３トリガー事象、サービングセルのデータ伝送パケットロス率に基づく第４トリガー事象、サービングセルのデータ伝送遅延に基づく第５トリガー事象のいずれか１つを含む、請求項４に記載のセル管理方法。
【請求項６】
前記の前記トリガー条件の設定情報に関連付けられる少なくとも２つのトリガー事象の設定情報に基づいて、前記トリガー条件が満たされているか否かを判断することは、
前記トリガー条件の設定情報に関連付けられる少なくとも２つのトリガー事象の設定情報のいずれかのトリガー事象の設定情報が満たされた場合、前記トリガー条件が満たされたと決定すること、又は、
前記トリガー条件の設定情報に関連付けられる少なくとも２つのトリガー事象の設定情報のうちのＮ（Ｎは１より大きい整数）個のトリガー事象の設定情報が満たされた場合、前記トリガー条件が満たされたと決定すること、又は、
前記トリガー条件の設定情報に関連付けられる少なくとも２つのトリガー事象の設定情報のうちのすべてのトリガー事象の設定情報が満たされた場合、前記トリガー条件が満たされたと決定することを含む、請求項１〜５のいずれか１項に記載のセル管理方法。
【請求項７】
前記のトリガー条件の設定情報とトリガー事象の設定情報とをネットワーク側機器から受信することは、
ソースノードから送信されたトリガー条件の設定情報とトリガー事象の設定情報とを受信すること、又は、
目標ノードからソースノードを介して送信されたトリガー条件の設定情報とトリガー事象の設定情報とを受信することを含む、請求項１〜５のいずれか１項に記載のセル管理方法。
【請求項８】
ソースノード又は目標ノードに応用されるトリガー条件設定方法であって、
トリガー条件の設定情報とトリガー事象の設定情報とを取得することと、
前記トリガー条件の設定情報とトリガー事象の設定情報とを端末機器に送信することと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
を含む、トリガー条件設定方法。
【請求項９】
前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む、請求項８に記載のトリガー条件設定方法。
【請求項１０】
前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象の設定情報リストの表項目ラベルとの関連関係、又は、
前記トリガー条件の設定情報リストの表項目ラベルと、トリガー事象の設定情報に対応する識別情報との関連関係、又は、
前記トリガー条件の設定情報リストの表項目ラベルと、前記トリガー事象の設定情報リストの表項目ラベルとの関連関係を含む、請求項９に記載のトリガー条件設定方法。
【請求項１１】
トリガー条件の設定情報とトリガー事象の設定情報とをネットワーク側機器から受信する受信モジュールと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
前記トリガー条件の設定情報に関連付けられる少なくとも２つのトリガー事象の設定情報に基づいて、前記トリガー条件が満たされているか否かを判断する判断モジュールと、
前記トリガー条件が満たされた場合、セル管理のための無線リソース制御ＲＲＣプロセスを開始する開始モジュールと、
を含む、端末機器。
【請求項１２】
前記トリガー条件の設定情報は、トリガー条件情報リストに格納され、前記トリガー事象の設定情報は、トリガー事象情報リストに格納され、前記関連関係は、関連関係リストに格納され、又は、
前記トリガー条件の設定情報とトリガー事象の設定情報は、トリガー条件設定情報リストに格納され、前記トリガー条件設定情報リストの各項目は、トリガー条件の設定情報と、それに対応する少なくとも２つのトリガー事象の設定情報とを含む、請求項１１に記載の端末機器。
【請求項１３】
前記トリガー条件情報リストの各項目は、トリガー条件の設定情報と、それに対応する識別情報とを含み、
前記トリガー事象情報リストの各項目は、トリガー事象の設定情報と、それに対応する識別情報とを含み、
前記関連関係は、
トリガー条件の設定情報に対応する識別情報と、前記トリガー事象情報リストの表項目ラベルとの関連関係、又は、
前記トリガー条件情報リストの表項目ラベルと、トリガー事象の設定情報に対応する識別情報との関連関係、又は、
前記トリガー条件情報リストの表項目ラベルと、前記トリガー事象情報リストの表項目ラベルとの関連関係を含む、請求項１２に記載の端末機器。
【請求項１４】
前記判断モジュールは、具体的には、
前記トリガー条件の設定情報に関連付けられる少なくとも２つのトリガー事象の設定情報のいずれかのトリガー事象の設定情報が満たされた場合、前記トリガー条件が満たされたと決定すること、又は、
前記トリガー条件の設定情報に関連付けられる少なくとも２つのトリガー事象の設定情報のうちのＮ（Ｎは１より大きい整数）個のトリガー事象の設定情報が満たされた場合、前記トリガー条件が満たされたと決定すること、又は、
前記トリガー条件の設定情報に関連付けられる少なくとも２つのトリガー事象の設定情報のうちのすべてのトリガー事象の設定情報が満たされた場合、前記トリガー条件が満たされたと決定することに用いられる、請求項１１〜１３のいずれか１項に記載の端末機器。
【請求項１５】
ソースノード又は目標ノードであるネットワーク側機器において、
トリガー条件の設定情報とトリガー事象の設定情報とを取得する取得モジュールと、
前記トリガー条件の設定情報とトリガー事象の設定情報とを端末機器に送信する送信モジュールと、
ここで、前記トリガー条件の設定情報と前記トリガー事象の設定情報との間に関連関係があり、且つ、１つのトリガー条件の設定情報に少なくとも２つのトリガー事象の設定情報が関連付けられ、
を含む、ネットワーク側機器。
【国際調査報告】
2021525492.tif 000012
2021525492.tif 000013
2021525492.tif 000014
2021525492.tif 000015